(57)【特許請求の範囲】
【請求項１】
下記の要件を備えた画像形成装置、
（Ａ01）回転移動する無端状表面に画像の異なる色成分の静電潜像が順次形成される像担持体、
（Ａ02）前記像担持体表面の異なる色成分の静電潜像を各色成分に対応した色のトナー像に順次現像する複数の現像器、
（Ａ03）前記像担持体表面に沿って設定された転写領域において前記像担持体表面と接触し且つ同一方向に移動する転写部材、
（Ａ04）前記像担持体表面に順次現像されたトナー像を前記転写領域を通過する転写部材に重ねて転写する転写器、
（Ａ05）前記像担持体表面の回転移動方向に沿って前記転写領域の上流側に配置されて、前記像担持体表面に形成されたトナー像の帯電量を調整する転写前帯電器、
（Ａ08）最終的に画像が形成される用紙である前記転写部材、
（Ａ09）用紙の抵抗値を測定する用紙抵抗値センサ、
（Ａ010）前記用紙抵抗値に応じた転写前帯電器制御データを記憶した転写前帯電器制御データ記憶手段、
（Ａ06）前記用紙抵抗値に応じた転写前帯電器制御データにより、前記転写部材に順次重ねて転写する像担持体表面のトナー像のうち、最初に転写するトナー像に比べて最後に転写するトナー像の帯電量の増加量が大きくなるように前記転写前帯電器の出力を調整する転写前帯電器作動信号出力手段。
【請求項２】
下記の要件を備えた請求項１記載の画像形成装置、
（Ａ07）前記転写部材に順次重ねて転写する像担持体表面のトナー像のうち、最初に転写するトナー像に対しては前記転写前帯電器の出力を０にする転写前帯電器作動信号出力手段。
【請求項３】
下記の要件を備えた画像形成装置、
（Ｂ01）回転移動する無端状の表面にそれぞれ異なる色成分の静電潜像が形成される複数の像担持体、
（Ｂ02）前記複数の各像担持体表面の異なる色成分の静電潜像を各色成分に対応した色のトナー像に現像する複数の各現像器、
（Ｂ03）前記複数の各像担持体表面に沿ってそれぞれ設定された各転写領域において前記各像担持体表面と接触し且つ同一方向に移動する転写部材、
（Ｂ04）前記複数の各像担持体表面に現像されたトナー像を前記各転写領域を通過する転写部材に重ねて転写する複数の各転写器、
（Ｂ05）前記複数の各像担持体表面の回転移動方向に沿って前記各転写領域の上流側に配置されて、前記像担持体表面に形成されたトナー像のトナーの帯電量を調整する複数の各転写前帯電器、
（Ａ08）最終的に画像が形成される用紙である前記転写部材、
（Ａ09）用紙の抵抗値を測定する用紙抵抗値センサ、
（Ａ010）前記用紙抵抗値に応じた転写前帯電器制御データを記憶した転写前帯電器制御データ記憶手段、
（Ｂ06）前記用紙抵抗値に応じた転写前帯電器制御データにより、前記転写部材に順次重ねて転写する前記各像担持体表面のトナー像のうち、最初に転写するトナー像に比べて最後に転写するトナー像の帯電量の増加量が大きくなるように前記各転写前帯電器の出力を調整する転写前帯電器作動信号出力手段。
【請求項４】
下記の要件を備えた請求項３記載の画像形成装置、
（Ｂ07）前記転写部材に順次重ねて転写する像担持体表面のトナー像のうち、最初に転写するトナー像に対しては前記転写前帯電器の出力を０にする転写前帯電器作動信号出力手段。
【請求項５】
下記の要件を備えた画像形成装置、
（Ｃ01）回転移動する無端状表面に画像の異なる色成分の静電潜像が順次形成される像担持体、
（Ｃ02）前記像担持体表面の異なる色成分の静電潜像を各色成分に対応した色のトナー像に順次現像する複数の現像器、
（Ｃ03）前記像担持体表面に沿って設定された１次転写領域において前記像担持体表面と接触し且つ同一方向に移動する中間転写部材、
（Ｃ04）前記像担持体表面に順次現像されたトナー像を前記１次転写領域を通過する中間転写部材に重ねて転写する１次転写器、
（Ｃ05）前記中間転写部材の移動経路に設定された２次転写領域に用紙を搬送し通過させる用紙搬送装置、
（Ｃ06）前記２次転写領域において、前記中間転写部材と用紙との間に２次転写電圧を印加することにより前記中間転写部材上に重ねて転写されたトナー像を前記用紙に一括して転写する２次転写器、
（Ｃ07）前記中間転写部材の回転移動方向に沿って前記２次転写領域の上流側に配置されて、前記中間転写部材表面に１次転写されたトナー像の帯電量を調整する２次転写前帯電器、
（Ａ09）前記用紙の抵抗値を測定する用紙抵抗値センサ、
（Ａ010）前記用紙抵抗値に応じた転写前帯電器制御データを記憶した転写前帯電器制御データ記憶手段、
（Ｃ08）前記用紙抵抗値に応じた転写前帯電器制御データにより、前記中間転写部材に順次重ねて１次転写する前記像担持体表面のトナー像のうち、最初のトナー像が１次転写された中間転写部材が前記２次転写前帯電器を通過する時に比べて最後のトナー像が１次転写された中間転写部材が前記２次転写前帯電器を通過する時の方が中間転写部材表面のトナー像の帯電量の増加量が大きくなるように前記２次転写前帯電器の出力を調整する２次転写前帯電器作動信号出力手段。
【請求項６】
下記の要件を備えた画像形成装置、
（Ｄ01）回転移動する無端状の表面にそれぞれ異なる色成分の静電潜像が形成される複数の像担持体、
（Ｄ02）前記複数の各像担持体表面の異なる色成分の静電潜像を各色成分に対応した色のトナー像に現像する複数の各現像器、
（Ｄ03）前記複数の各像担持体表面に沿ってそれぞれ設定された各１次転写領域において前記各像担持体表面と接触し且つ同一方向に移動する中間転写部材、
（Ｄ04）前記各１次転写領域を通過する中間転写部材に、前記複数の各像担持体表面に現像されたトナー像を重ねて転写する複数の各１次転写器、
（Ｄ05）前記中間転写部材の移動経路に設定された２次転写領域に用紙を搬送し通過させる用紙搬送装置、
（Ｄ06）前記２次転写領域において、前記中間転写部材と用紙との間に２次転写電圧を印加することにより前記中間転写部材上に重ねて転写されたトナー像を前記用紙に一括して転写する２次転写器、
（Ｄ07）前記中間転写部材の回転移動方向に沿って前記２次転写領域の上流側に配置されて、前記中間転写部材表面に１次転写されたトナー像の帯電量を調整する２次転写前帯電器、
（Ａ09）前記用紙の抵抗値を測定する用紙抵抗値センサ、
（Ａ010）前記用紙抵抗値に応じた転写前帯電器制御データを記憶した転写前帯電器制御データ記憶手段、
（Ｄ08）前記用紙抵抗値に応じた転写前帯電器制御データにより、前記中間転写部材に順次重ねて１次転写する前記像担持体表面のトナー像のうち、最初のトナー像が１次転写された中間転写部材が前記２次転写前帯電器を通過する時に比べて最後のトナー像が１次転写された中間転写部材が前記２次転写前帯電器を通過する時の方が中間転写部材表面のトナー像の帯電量の増加量が大きくなるように前記２次転写前帯電器の出力を調整する２次転写前帯電器作動信号出力手段。
【発明の詳細な説明】
【０００１】
【発明の属する技術分野】
本発明は像担持体上にトナー像を形成し、前記トナー像を用紙に直接転写したりまたは中間転写部材に１次転写してから用紙に２次転写し、前記用紙上に転写されたトナー像を定着する画像形成装置に関し、特に、転写前にトナー像の帯電電位を調整する転写前帯電器を備えた画像形成装置に関する。
【０００２】
【従来の技術】
前記転写前帯電器の制御としては、転写性の低下する高湿度状態で使用する場合には常時みオン（作動）させる制御方法が知られている。
また、電気抵抗の高いＯＨＰ用紙を使用する場合には常時オン（作動）させる制御が知られている。
一般に転写前帯電器をオンさせることにより、転写性能を向上させることができ、画質が向上する。しかしながら、前記従来の方法では、高湿度状態で画像形成装置を作動させる場合またはＯＨＰ用紙を使用する場合等に常時オンさせている。
転写前帯電器がオンの場合には、転写前帯電器の放電によるディレッション（オゾン、窒素酸化物等の放電生成物による像担持体の変質）が生じるという問題点がある。前記ディレッションにより帯電ムラが発生し、記録した画像に濃度ムラが生じるという問題点がある。また、転写前帯電器は現像装置の近傍に有るため、クラウドトナーによる転写前帯電器の汚れが発生し易い。そのため、帯電ムラが発生し、画像に濃度ムラが発生するという問題点もある。
したがって、転写前帯電器の使用期間は短い方が良い。
【０００３】
従来、転写前帯電器を使用する期間を、転写前帯電の使用が本当に必要な時のみ行う技術として次の技術（Ｊ０１）が知られている。
（Ｊ０１）特開平５−１０７９４７号公報、特開平５−１０７９４８号公報記載の技術
前記従来技術（Ｊ０１）では、実際の複写動作を行う以前に、像担持体上に複数のテストパッチを作成し、前記テストバッチの転写効率を測定し、測定結果に基づいて実際の複写動作時に、転写前帯電器のオンまたは転写器の転写電界の調整を行う技術が記載されている。
【０００４】
【発明が解決しようとする課題】
（前記（Ｊ０１）の問題点）
前記従来技術（Ｊ０１）では、転写前帯電器を使用する期間が短くなっている。しかしながら、像担持体上に色の異なる複数のトナー像を順次形成し、前記各色のトナー像を転写ドラムに吸着された用紙に順次重ねて転写する際、最初に転写する場合も最後に転写する場合も、同様に転写前帯電器を使用している。
前記各色のトナー像を転写ドラムに吸着された用紙に順次重ねて転写する際、最初に転写する場合は転写前帯電器を使用する必要が無い場合が多く、最後に転写する場合は転写前帯電器を使用する必要が有る場合が多い。したがって、前記従来技術（Ｊ０１）も、転写前帯電器の無駄な使用によりディレッションが発生し易くなる。
【０００５】
本発明は前述の事情に鑑み下記（Ｏ０１）の記載内容を課題とする。
（Ｏ０１）転写前帯電器の使用期間を減少させてディレッションや転写前帯電器の汚れを防止すること、および、転写前帯電器の交換インターバルを延ばすこと。
【０００６】
【課題を解決するための手段】
次に、前記課題を解決するための本発明を説明するが、本発明の要素には、後述する実施例の要素との対応を容易にするため、実施例の要素の符号をカッコで囲んだものを付記する。本発明を後述の実施例の符号と対応させて説明する理由は、本発明の理解を容易にするためであり、本発明の範囲を実施例に限定するためではない。
【０００７】
（第１発明）
前記課題を解決するために、本出願の第１発明の画像形成装置は、下記の要件を備えたことを特徴とする、
（Ａ01）回転移動する無端状表面に画像の異なる色成分の静電潜像が順次形成される像担持体（１６）、
（Ａ02）前記像担持体（１６）表面の異なる色成分の静電潜像を各色成分に対応した色のトナー像に順次現像する複数の現像器（Ｄk，Ｄy，Ｄm，Ｄc）、
（Ａ03）前記像担持体（１６）表面に沿って設定された転写領域（Ｑ3）において前記像担持体（１６）表面と接触し且つ同一方向に移動する転写部材（Ｓ）、
（Ａ04）前記像担持体（１６）表面に順次現像されたトナー像を前記転写領域（Ｑ3）を通過する転写部材（Ｓ）に重ねて転写する転写器（２２）、
（Ａ05）前記像担持体（１６）表面の回転移動方向に沿って前記転写領域（Ｑ３）の上流側に配置されて、前記像担持体（１６）表面に形成されたトナー像の帯電量を調整する転写前帯電器（１９）、
（Ａ08）最終的に画像が形成される用紙（Ｓ）である前記転写部材（Ｓ）、
（Ａ09）用紙（Ｓ）の抵抗値を測定する用紙抵抗値センサ（４０）、
（Ａ010）前記用紙抵抗値に応じた転写前帯電器制御データを記憶した転写前帯電器制御データ記憶手段（Ｃ2）、
（Ａ06）前記用紙抵抗値に応じた転写前帯電器制御データにより、前記転写部材（Ｓ）に順次重ねて転写する像担持体（１６）表面のトナー像のうち、最初に転写するトナー像に比べて最後に転写するトナー像の帯電量の増加量が大きくなるように前記転写前帯電器（１９）の出力を調整する転写前帯電器作動信号出力手段（Ｃ3）。
【０００８】
（第１発明の作用）
前記構成を備えた第１発明の画像形成装置では、像担持体（１６）は、回転移動する無端状表面に画像の異なる色成分の静電潜像が順次形成される。複数の現像器（Ｄk，Ｄy，Ｄm，Ｄc）は、前記像担持体（１６）表面の異なる色成分の静電潜像を各色成分に対応した色のトナー像に順次現像する。前記像担持体（１６）表面に沿って設定された転写領域（Ｑ3）において前記像担持体（１６）表面と接触し且つ同一方向に移動する転写部材（Ｓ）は、前記転写領域（Ｑ3）を通過する際、転写器（２２）により、前記像担持体（１６）表面に順次現像されたトナー像が転写される。
前記像担持体（１６）表面の回転移動方向に沿って前記転写領域（２２）の上流側に配置された転写前帯電器（１９）は、前記像担持体（１６）表面に形成されたトナー像の帯電量を調整する。用紙抵抗値センサ（４０）は、最終的に画像が形成される用紙（Ｓ）の抵抗値を測定する。転写前帯電器制御データ記憶手段（Ｃ2）は、前記用紙抵抗値に応じた転写前帯電器制御データを記憶している。転写前帯電器作動信号出力手段（Ｃ3）は、前記用紙抵抗値に応じた転写前帯電器制御データにより、前記転写部材（Ｓ）に順次重ねて転写する像担持体（１６）表面のトナー像のうち、最初に転写するトナー像に比べて最後に転写するトナー像の帯電量の増加量が大きくなるように前記転写前帯電器（１９）の出力を調整する。
【０００９】
前記転写前帯電器（１９）を使用することにより、トナー像の帯電量を適切に調節できるので、転写性能が向上する。しかしながら、各色のトナー像に対して均等に帯電量を増加させると、常時転写前帯電器（１９）使用することとなり、像担持体（１６）表面の変質が生じ易くなる。したがって、転写前帯電器（１９）の使用は必要なときのみ行うことが望ましい。
前記転写部材（Ｓ，６１）にトナー像を順次重ねて転写する場合、最初に転写するトナー像は、前記転写部材（Ｓ，６１）上にトナーが無い状態で転写されるため、前記転写前帯電器（１９）を使用しなくても、または、小さな出力で使用しても、良好に転写を行うことができる。しかしながら、前記転写部材（Ｓ，６１）上にトナー像を重ねて転写する場合、後で転写するトナー像程、転写性が悪くなって転写不良が発生し易くなる。
【００１０】
前記転写不良は、後で重ねて転写するトナー像に対して、前記転写前帯電器（１９）を使用したり、または転写前帯電器（１９）の出力を徐々に大きくすることによりトナー像の帯電量を増加させて、前記転写不良を防止することができる。
したがって、第１発明では、後で重ねて転写するトナー像に対して前記転写前帯電器（１９）を使用したり、または転写前帯電器（１９）の出力を徐々に大きくして、転写帯電器（１９）の無駄な使用を減少させることにより、前記像担持体（１６）の変質を防止して寿命を延長し、且つ、良好な転写を行うことができる。
また、第１発明の画像形成装置は用紙（Ｓ）の抵抗値に応じて、像担持体（１６）上のトナー像に適切な帯電量を与えることができる。
【００１１】
（第２発明）
本出願の第２発明の画像形成装置は、下記の要件を備えたことを特徴とする、
（Ｂ01）回転移動する無端状の表面にそれぞれ異なる色成分の静電潜像が形成される複数の像担持体（１６k，１６y，１６m，１６c）、
（Ｂ02）前記複数の各像担持体（１６k，１６y，１６m，１６c）表面の異なる色成分の静電潜像を各色成分に対応した色のトナー像に現像する複数の各現像器（Ｄk，Ｄy，Ｄm，Ｄc）、
（Ｂ03）前記複数の各像担持体（１６k，１６y，１６m，１６c）表面に沿ってそれぞれ設定された各転写領域（Ｑ3k，Ｑ3y，Ｑ3m，Ｑ3c）において前記各像担持体（１６k，１６y，１６m，１６c）表面と接触し且つ同一方向に移動する転写部材（Ｓ）、
（Ｂ04）前記複数の各像担持体（１６k，１６y，１６m，１６c）表面に現像されたトナー像を前記各転写領域（Ｑ3k，Ｑ3y，Ｑ3m，Ｑ3c）を通過する転写部材（Ｓ）に重ねて転写する複数の各転写器（２２k，２２y，２２m，２２c）、
（Ｂ05）前記複数の各像担持体（１６k，１６y，１６m，１６c）表面の回転移動方向に沿って前記各転写領域（Ｑ3k，Ｑ3y，Ｑ3m，Ｑ3c）の上流側に配置されて、前記像担持体（１６k，１６y，１６m，１６c）表面に形成されたトナー像のトナーの帯電量を調整する複数の各転写前帯電器（１９k，１９y，１９m，１９c）、
（Ａ08）最終的に画像が形成される用紙（Ｓ）である前記転写部材（Ｓ）、
（Ａ09）用紙（Ｓ）の抵抗値を測定する用紙抵抗値センサ（４０）、
（Ａ010）前記用紙抵抗値に応じた転写前帯電器制御データを記憶した転写前帯電器制御データ記憶手段（Ｃ2）、
（Ｂ06）前記用紙抵抗値に応じた転写前帯電器制御データにより、前記転写部材（Ｓ）に順次重ねて転写する前記各像担持体（１６k，１６y，１６m，１６c）表面のトナー像のうち、最初に転写するトナー像に比べて最後に転写するトナー像の帯電量の増加量が大きくなるように前記各転写前帯電器（１９k，１９y，１９m，１９c）の出力を調整する転写前帯電器作動信号出力手段（Ｃ3）。
【００１２】
（第２発明の作用）
前記構成を備えた本出願の第２発明の画像形成装置では、複数の像担持体（１６ｋ，１６ｙ，１６ｍ，１６ｃ）の回転移動する無端状の表面には、それぞれ異なる色成分の静電潜像が形成される。複数の各現像器（Ｄｋ，Ｄｙ，Ｄｍ，Ｄｃ）は、前記複数の各像担持体（１６ｋ，１６ｙ，１６ｍ，１６ｃ）表面の異なる色成分の静電潜像を各色成分に対応した色のトナー像に現像する。転写部材（Ｓ）は、前記複数の各像担持体（１６ｋ，１６ｙ，１６ｍ，１６ｃ）表面に沿ってそれぞれ設定された各転写領域（Ｑ３ｋ，Ｑ３ｙ，Ｑ３ｍ，Ｑ３ｃ）において前記各像担持体（１６ｋ，１６ｙ，１６ｍ，１６ｃ）表面と接触し且つ同一方向に移動する。
複数の各転写器（２２ｋ，２２ｙ，２２ｍ，２２ｃ）は、前記複数の各像担持体（１６ｋ，１６ｙ，１６ｍ，１６ｃ）表面に現像されたトナー像を前記各転写領域（Ｑ３ｋ，Ｑ３ｙ，Ｑ３ｍ，Ｑ３ｃ）を通過する転写部材（Ｓ）に重ねて転写する。
【００１３】
前記複数の各像担持体（１６k，１６y，１６m，１６c）表面の回転移動方向に沿って前記各転写領域（Ｑ3k，Ｑ3y，Ｑ3m，Ｑ3c）の上流側に配置された複数の各転写前帯電器（１９k，１９y，１９m，１９c）は、前記像担持体（１６k，１６y，１６m，１６c）表面に形成されたトナー像のトナーの帯電量を調整する。用紙抵抗値センサ（４０）は、最終的に画像が形成される用紙（Ｓ）の抵抗値を測定する。転写前帯電器制御データ記憶手段（Ｃ2）は、前記用紙抵抗値に応じた転写前帯電器制御データを記憶している。転写前帯電器作動信号出力手段（Ｃ3）は、前記用紙抵抗値に応じた転写前帯電器制御データにより、前記転写部材（Ｓ）に順次重ねて転写する前記各像担持体（１６k，１６y，１６m，１６c）表面のトナー像のうち、最初に転写するトナー像に比べて最後に転写するトナー像の帯電量の増加量が大きくなるように前記各転写前帯電器（１９k，１９y，１９m，１９c）の出力を調整する。
したがって、第２発明は前記第１発明と同様に、後で重ねて転写するトナー像に対して前記転写前帯電器（１９）を使用したり、または転写前帯電器（１９）の出力を徐々に大きくして、転写帯電器（１９）の無駄な使用を減少させることにより、前記像担持体（１６）の変質を防止して寿命を延長し、且つ、良好な転写を行うことができる。
また、第２発明の画像形成装置は、用紙（Ｓ）の抵抗値に応じて、像担持体（１６）上のトナー像に適切な帯電量を与えることができる。
【００１４】
（第３発明）
本出願の第３発明の画像形成装置は、下記の要件を備えたことを特徴とする、
（Ｃ01）回転移動する無端状表面に画像の異なる色成分の静電潜像が順次形成される像担持体（１６）、
（Ｃ02）前記像担持体（１６）表面の異なる色成分の静電潜像を各色成分に対応した色のトナー像に順次現像する複数の現像器（Ｄk，Ｄy，Ｄm，Ｄc）、
（Ｃ03）前記像担持体（１６）表面に沿って設定された１次転写領域（Ｑ3）において前記像担持体（１６）表面と接触し且つ同一方向に移動する中間転写部材（６１）、
（Ｃ04）前記像担持体（１６）表面に順次現像されたトナー像を前記１次転写領域（Ｑ3）を通過する中間転写部材（６１）に重ねて転写する１次転写器（２２）、
（Ｃ05）前記中間転写部材（６１）の移動経路に設定された２次転写領域（Ｑ6）に用紙（Ｓ）を搬送し通過させる用紙搬送装置（Ｈ）、
（Ｃ06）前記２次転写領域（Ｑ6）において、前記中間転写部材（６１）と用紙（Ｓ）との間に２次転写電圧を印加することにより前記中間転写部材（６１）上に重ねて転写されたトナー像を前記用紙（Ｓ）に一括して転写する２次転写器（６８）、
（Ｃ07）前記中間転写部材（６１）の回転移動方向に沿って前記２次転写領域（Ｑ6）の上流側に配置されて、前記中間転写部材（６１）表面に１次転写されたトナー像の帯電量を調整する２次転写前帯電器（６９）、
（Ａ09）前記用紙（Ｓ）の抵抗値を測定する用紙抵抗値センサ（４０）、
（Ａ010）前記用紙抵抗値に応じた転写前帯電器制御データを記憶した転写前帯電器制御データ記憶手段（Ｃ2）、
（Ｃ08）前記用紙抵抗値に応じた転写前帯電器制御データにより、前記中間転写部材（６１）に順次重ねて１次転写する前記像担持体（１６）表面のトナー像のうち、最初のトナー像が１次転写された中間転写部材（６１）が前記２次転写前帯電器（６９）を通過する時に比べて最後のトナー像が１次転写された中間転写部材（６１）が前記２次転写前帯電器（６９）を通過する時の方が中間転写部材（６１）表面のトナー像の帯電量の増加量が大きくなるように前記２次転写前帯電器（６９）の出力を調整する２次転写前帯電器作動信号出力手段（Ｃ5）。
【００１５】
（第３発明の作用）
前記第３発明の画像形成装置では、像担持体（１６）の回転移動する無端状表面には画像の異なる色成分の静電潜像が順次形成される。複数の現像器（Ｄｋ，Ｄｙ，Ｄｍ，Ｄｃ）は、前記像担持体（１６）表面の異なる色成分の静電潜像を各色成分に対応した色のトナー像に順次現像する。中間転写部材（６１）は、前記像担持体（１６）表面に沿って設定された１次転写領域（Ｑ３）において前記像担持体（１６）表面と接触し且つ同一方向に移動する。１次転写器（２２）は、前記像担持体（１６）表面に順次現像されたトナー像を前記１次転写領域（Ｑ３）を通過する中間転写部材（６１）に重ねて転写する。
用紙搬送装置（Ｈ）は、前記中間転写部材（６１）の移動経路に設定された２次転写領域（Ｑ６）に用紙（Ｓ）を搬送し通過させる。前記２次転写領域（Ｑ６）において２次転写器（６８）は、前記中間転写部材（６１）と用紙（Ｓ）との間に２次転写電圧を印加することにより、前記中間転写部材（６１）上に重ねて転写されたトナー像を前記用紙（Ｓ）に一括して転写する。
【００１６】
前記中間転写部材（６１）の回転移動方向に沿って前記２次転写領域（Ｑ6）の上流側に配置された２次転写前帯電器（６９）は、前記中間転写部材（６１）表面に１次転写されたトナー像の帯電量を調整する。
用紙抵抗値センサ（４０）は、最終的に画像が形成される用紙（Ｓ）の抵抗値を測定する。
転写前帯電器制御データ記憶手段（Ｃ2）は、前記用紙抵抗値に応じた転写前帯電器制御データを記憶している。
２次転写前帯電器作動信号出力手段（Ｃ5）は、前記用紙抵抗値に応じた転写前帯電器制御データにより、前記中間転写部材（６１）に順次重ねて１次転写する前記像担持体（１６）表面のトナー像のうち、最初のトナー像が１次転写された中間転写部材（６１）が前記２次転写前帯電器（６９）を通過する時に比べて最後のトナー像が１次転写された中間転写部材（６１）が前記２次転写前帯電器（６９）を通過する時の方が中間転写部材（６１）表面のトナー像の帯電量の増加量が大きくなるように前記２次転写前帯電器（６９）の出力を調整する。
【００１７】
前記中間転写部材（６１）に順次重ねて転写されるトナー像のうちの最初に転写されたトナー像は、他のトナー像が後で重ねて転写される際に帯電電荷が減少するため帯電不足となる。この帯電不足のトナー像は、次に１次転写領域を通過するときのリトランスファ（像担持体（１６）から中間転写部材（６１）に転写されたトナーが前記像担持体（１６）に再転写されること）の原因となったり、また、２次転写を行う場合に２次転写不良の原因となったりする。
しかしながら、第３発明では、後で重ねて１次転写されたトナー像に対して、前記２次転写前帯電器（６９）を使用したり、または２次転写前帯電器（６９）の出力を徐々に大きくすることにより前記帯電不足を解消して、前記リトランスファや２次転写不良を防止することができる。
また、第３発明の画像形成装置は、用紙（Ｓ）の抵抗値に応じて、像担持体（１６）上のトナー像に適切な帯電量を与えることができる。
【００１８】
（第４発明）
第４発明の画像形成装置は、下記の要件を備えたことを特徴とする、
（Ｄ01）回転移動する無端状の表面にそれぞれ異なる色成分の静電潜像が形成される複数の像担持体（１６km，１６yc）、
（Ｄ02）前記複数の各像担持体（１６km，１６yc）表面の異なる色成分の静電潜像を各色成分に対応した色のトナー像に現像する複数の各現像器（Ｄk，Ｄy，Ｄm，Ｄc）、
（Ｄ03）前記複数の各像担持体（１６km，１６yc）表面に沿ってそれぞれ設定された各１次転写領域（Ｑ3km，Ｑ3yc）において前記各像担持体（１６km，１６yc）表面と接触し且つ同一方向に移動する中間転写部材（７５）、
（Ｄ04）前記各１次転写領域（Ｑ3km，Ｑ3yc）を通過する中間転写部材に、前記複数の各像担持体（１６km，１６yc）表面に現像されたトナー像を重ねて転写する複数の各１次転写器（２２km，２２yc）、
（Ｄ05）前記中間転写部材（７５）の移動経路に設定された２次転写領域（Ｑ6）に用紙（Ｓ）を搬送し通過させる用紙搬送装置（Ｈ）、
（Ｄ06）前記２次転写領域（Ｑ6）において、前記中間転写部材（７５）と用紙（Ｓ）との間に２次転写電圧を印加することにより前記中間転写部材（７５）上に重ねて転写されたトナー像を前記用紙に一括して転写する２次転写器（８０）、
（Ｄ07）前記中間転写部材（７５）の回転移動方向に沿って前記２次転写領域（Ｑ6）の上流側に配置されて、前記中間転写部材表面に１次転写されたトナー像の帯電量を調整する２次転写前帯電器（８１）、
（Ａ09）前記用紙（Ｓ）の抵抗値を測定する用紙抵抗値センサ（４０）、
（Ａ010）前記用紙抵抗値に応じた転写前帯電器制御データを記憶した転写前帯電器制御データ記憶手段（Ｃ2）、
（Ｄ08）前記用紙抵抗値に応じた転写前帯電器制御データにより、前記中間転写部材（７５）に順次重ねて１次転写する前記像担持体（１６k，１６y，１６m，１６c）表面のトナー像のうち、最初のトナー像が１次転写された中間転写部材（７５）が前記２次転写前帯電器（８１）を通過する時に比べて最後のトナー像が１次転写された中間転写部材（７５）が前記２次転写前帯電器（８１）を通過する時の方が中間転写部材（７５）表面のトナー像の帯電量の増加量が大きくなるように前記２次転写前帯電器（８１）の出力を調整する２次転写前帯電器作動信号出力手段（Ｃ5）。
【００１９】
（第４発明の作用）
前記構成を備えた第４発明の画像形成装置では、複数の像担持体（１６ｋｍ，１６ｙｃ）の回転移動する無端状の表面にそれぞれ異なる色成分の静電潜像が形成される。複数の各現像器（Ｄｋ，Ｄｙ，Ｄｍ，Ｄｃ）は、前記複数の各像担持体（１６ｋｍ，１６ｙｃ）表面の異なる色成分の静電潜像を各色成分に対応した色のトナー像に現像する。中間転写部材（７５）は、前記複数の各像担持体（１６ｋｍ，１６ｙｃ）表面に沿ってそれぞれ設定された各１次転写領域（Ｑ３ｋｍ，Ｑ３ｙｃ）において前記各像担持体（１６ｋｍ，１６ｙｃ）表面と接触し且つ同一方向に移動する。
複数の各１次転写器（２２ｋｍ，２２ｙｃ）は前記各１次転写領域（Ｑ３ｋｍ，Ｑ３ｙｃ）を通過する中間転写部材に、前記複数の各像担持体（１６ｋｍ，１６ｙｃ）表面に現像されたトナー像を重ねて転写する。用紙搬送装置（Ｈ）は、前記中間転写部材（７５）の移動経路に設定された２次転写領域（Ｑ６）に用紙（Ｓ）を搬送し通過させる。前記２次転写領域（Ｑ６）において、２次転写器（８０）は、前記中間転写部材（７５）と用紙（Ｓ）との間に２次転写電圧を印加することにより前記中間転写部材（７５）上に重ねて転写されたトナー像を前記用紙に一括して転写する。
【００２０】
前記中間転写部材（７５）の回転移動方向に沿って前記２次転写領域（Ｑ6）の上流側に配置された２次転写前帯電器（８１）は、前記中間転写部材表面に１次転写されたトナー像の帯電量を調整する。
用紙抵抗値センサ（４０）は、最終的に画像が形成される用紙（Ｓ）の抵抗値を測定する。
転写前帯電器制御データ記憶手段（Ｃ2）は、前記用紙抵抗値に応じた転写前帯電器制御データを記憶している。
２次転写前帯電器作動信号出力手段（Ｃ5）は、前記用紙抵抗値に応じた転写前帯電器制御データにより、前記中間転写部材（７５）に順次重ねて１次転写する前記像担持体（１６k，１６y，１６m，１６c）表面のトナー像のうち、最初のトナー像が１次転写された中間転写部材（７５）が前記２次転写前帯電器（８１）を通過する時に比べて最後のトナー像が１次転写された中間転写部材（７５）が前記２次転写前帯電器（８１）を通過する時の方が中間転写部材（７５）表面のトナー像の帯電量の増加量が大きくなるように前記２次転写前帯電器（８１）の出力を調整する。
すなわち、後で重ねて１次転写されたトナー像に対して、前記２次転写前帯電器（８１）を使用したり、または２次転写前帯電器（８１）の出力を徐々に大きくすることにより前記帯電不足を解消して、前記リトランスファや２次転写不良を防止することができる。
また、第４発明の画像形成装置は、用紙（Ｓ）の抵抗値に応じて、像担持体（１６）上のトナー像に適切な帯電量を与えることができる。
【００２１】
【発明の実施の形態】
（第１発明の実施の形態１）
第１発明の実施の形態１の画像形成装置は、前記第１発明において下記の要件（Ａ０７）を備えたことを特徴とする、
（Ａ０７）前記転写部材（Ｓ，６１）に順次重ねて転写する像担持体（１６）表面のトナー像のうち、最初に転写するトナー像に対しては前記転写前帯電器（１９）の出力を０にする前記転写前帯電器作動信号出力手段（Ｃ３）。
（第１発明の実施の形態１の作用）
第１発明の実施の形態１の画像形成装置では、転写前帯電器作動信号出力手段（Ｃ３）は、前記転写部材（Ｓ，６１）に順次重ねて転写する像担持体（１６）表面のトナー像のうち、最初に転写するトナー像に対しては前記転写前帯電器（１９）の出力を０にする。すなわち、最初に転写するトナー像は前記転写部材（Ｓ，６１）上にトナーが無い状態で転写されるので、転写前帯電を行わない。
【００２４】
（第１発明の実施の形態２）
第１発明の実施の形態２の画像形成装置は、前記第１発明または第１発明の実施の形態１の画像形成装置において下記の要件（Ａ012）を備えたことを特徴とする、
（Ａ012）一様に帯電した表面に微小な微画素単位で潜像書込用光ビームが照射されたとき、光ビームが照射された微画素が、照射されなかった微画素と異なる電位となって前記表面に静電潜像が形成される前記像担持体（１６）、
（Ａ013）濃度変換データを有し、前記複数の微画素により構成される１画素の入力濃度データ（Ｎin）を前記濃度変換データにより出力濃度データ（Ｎm）に変換するルックアップテーブル（ＬＵＴ１２４）と、前記ルックアップテーブル（ＬＵＴ１２４）の濃度変換データを変更するルックアップテーブル設定変更手段（１２５）とを有し、前記出力濃度データ（Ｎm）に応じて前記光ビームにより照射する微画素を定める書込画像データ（１２９a）を出力する書込画像データ出力手段（１２）、
（Ａ014）前記転写前帯電器（１９）の出力が異なる場合でも、前記入力濃度データ（Ｎin）が同一の場合は前記転写部材（Ｓ，６１）に転写されたトナー像の濃度が一定となるように、前記転写前帯電器（１９）の出力に応じて前記ルックアップテーブル（ＬＵＴ１２４）の濃度変換データを変更する前記ルックアップテーブル設定変更手段（１２５）。
【００２５】
（第１発明の実施の形態２の作用）
第１発明の実施の形態２の画像形成装置では、前記像担持体（１６）は、一様に帯電した表面に微小な微画素単位で潜像書込用光ビームが照射されたとき、光ビームが照射された微画素が、照射されなかった微画素と異なる電位となって前記表面に静電潜像が形成される。
書込画像データ出力手段（１２）のルックアップテーブル（ＬＵＴ１２４）は、前記複数の微画素により構成される１画素の入力濃度データ（Ｎin）を濃度変換データにより出力濃度データ（Ｎm）に変換する。
書込画像データ出力手段（１２）のルックアップテーブル設定変更手段（１２５）は、前記転写前帯電器（１９）の出力が異なる場合でも、前記入力濃度データ（Ｎin）が同一の場合は前記転写部材（Ｓ，６１）に転写されたトナー像の濃度が一定となるように、前記転写前帯電器（１９）の出力に応じて前記ルックアップテーブル（ＬＵＴ１２４）の濃度変換データを変更する。
【００２６】
書込画像データ出力手段（１２）は、前記出力濃度データ（Ｎm）に応じて前記光ビームにより照射する微画素を定める書込画像データ（１２９a）を出力する。
一般に、前記転写前帯電器（１９）がオフの場合（出力が０の場合）に比べてオンの場合（出力が有る場合）は、転写効率が向上するので、前記ルックアップテーブル（ＬＵＴ１２４）の濃度変換データを変更しなければ、トナー像の濃度が上昇して、画質が異なることになる。
しかしながら、前記第１発明の実施の形態２では、前記ルックアップテーブル（ＬＵＴ１２４）の濃度変換データを変更することにより、前記トナー像の濃度上昇を防止して画質を均一にすることができる。
【００２７】
（第２〜第４発明の実施の形態１〜２）
第２〜第４発明において、前記第１発明の実施の形態１〜２と同様の構成を採用することが可能である。その場合、第２〜第４発明の実施の形態１〜２は前記第１発明の実施の形態１〜２と同様の作用を奏する。
【００２８】
【実施例】
次に図面を参照しながら、本発明の実施の形態の例（実施例）を説明するが、本発明は以下の実施例に限定されるものではない。
【００２９】
（実施例１）
図１は本発明の実施例１の画像形成装置の全体説明図である。
図１において、カラー複写が可能な画像形成装置Ｆは、上部にコピースタートキー、テンキー、表示部等を有するＵＩ（ユーザインタフェース）と、原稿（図示せず）を載置する透明なプラテンガラス１と、プラテンガラス１の下側に配置された露光光学系２とを有している。露光光学系２は、前記原稿を照明しながら走査する原稿照明ユニット３を有している。原稿照明ユニット３は、原稿照明用光源４および第１ミラー５を有している。また、プラテンガラス１の下側には、前記原稿照明ユニット３の移動速度の１／２の速度で移動するミラーユニット６が配置されている。ミラーユニット６は、前記照明用光源４から出射して原稿で反射し、前記第１ミラー５で反射した原稿画像光を反射する第２ミラー７および第３ミラー８を有している。
前記第３ミラー８で反射した原稿画像光は結像レンズ９を通って、ＣＣＤ（カラー画像読取センサ）によりＲ，Ｇ，Ｂのアナログ信号として読み取られる。
【００３０】
ＣＣＤで読み取られたＲ（赤色），Ｇ（緑色），Ｂ（青色）の画像信号は、ＩＰＳに入力される。ＩＰＳの作動はコントローラＣにより制御されている。
ＩＰＳ（イメージプロセッシングシステム）は、前記ＣＣＤで得られる前記３色の電気信号を読出す読取画像データ出力手段１１および書込画像データを出力する書込画像データ出力手段１２を有している。
前記読取画像データ出力手段１１は、従来公知のＡＧＣ（オートゲインコントローラ）、ＡＯＣ（オートオフセットコントローラ）、およびＡＤＣ（アナログデジタルコンバータ）等により構成されている。
前記画像読取データ出力手段１１は、前記ＣＣＤが読み取ったＲＧＢアナログ信号をＡＧＣ（オートゲインコントローラ）でゲイン調節し、ＡＯＣ（オートオフセットコントローラ）で読取信号レベルをオフセットしてＡ／Ｄ変換する。
【００３１】
前記読取画像データ出力手段１１の出力する画像データが入力される書込画像データ出力手段１２は、入力されたＲ，Ｇ，Ｂ３色の画像データに、原稿読取時の照明光量のバラツキおよび受光素子の特性のハラツキ等により生じる読取光量誤差を補正するシエーディング補正を行ってから、Ｙ（イエロー），Ｍ（マゼンタ），Ｃ（シアン），Ｋ（黒）の４色の画像データに変換し、さらに前記画像データに、拡大・縮小補正、濃度補正、等の従来公知の画像処理を行う機能を有しており、画像データを一時的に記憶する画像記憶メモリ１３を有している。書込画像データ出力手段１２は、処理が行われた画像データを書込データとしてレーザ駆動回路１４に出力する。前記レーザ駆動回路１４は、入力された画像データに応じたレーザ駆動信号をＲＯＳ（光書込走査装置、すなわち、潜像書込装置）に出力する。
【００３２】
前記ＩＰＳの書込画像データ出力手段１２が出力するＫ，Ｙ，Ｍ，Ｃの４色の画像書込データ（レーザ駆動データ）は、レーザ駆動回路１４（図１、図３参照）に入力される。レーザ駆動回路１４は、入力された画像データに応じた各色Ｋ，Ｙ，Ｍ，Ｃの成分の画像のレーザ駆動信号を所定のタイミングで、ＲＯＳ（光走査装置、すなわち、潜像形成装置）に出力する機能を有している。
前記ＲＯＳは、入力された前記レーザ駆動信号により変調されたレーザビームＬにより、１６０ｍｍ／ｓｅｃのスピードで矢印方向に回転する像担持体１６の静電潜像書込位置Ｑ１を走査する。
前記回転する像担持体１６に沿って、像担持体１６の移動方向で前記潜像書込位置Ｑ１の上流側に、像担持体１６を一様に帯電させる帯電器１７が配置されている。像担持体１６は、前記帯電器１７により一様に帯電された後、前記潜像書込位置Ｑ１において、前記レーザビームＬにより静電潜像が書き込まれるように構成されている。
【００３３】
前記像担持体１６の移動方向に沿って、前記潜像書込位置Ｑ１の下流側の現像領域Ｑ２には、前記静電潜像をトナー像に現像するロータリ式の現像ユニット（現像装置）Ｄが配置されている。前記現像ユニットＤは、回転軸１８周囲に装着したＹ，Ｍ，Ｃ，Ｋの４色の現像器Ｄｋ，Ｄｙ，Ｄｍ，Ｄｃを有しており、前記回転軸１８の回転に伴い、前記各４色の現像器Ｄｋ，Ｄｙ，Ｄｍ，Ｄｃが順次前記現像領域Ｑ２に移動するように構成されている。前記現像器Ｄｋ，Ｄｙ，Ｄｍ，Ｄｃは、像担持体１６上の静電潜像を、Ｋ（黒）、Ｙ（イエロー）、Ｍ（マゼンタ）、Ｃ（シアン）の各色のトナー像に現像する装置である。
【００３４】
前記回転する像担持体１６の表面に沿って前記現像領域Ｑ２の下流側には、転写領域Ｑ３（図１参照）が設定されており、転写領域Ｑ３の上流側には転写前帯電器１９が配置されている。
図２は本発明の実施例１の画像形成装置で使用する転写前帯電器の拡大図である。
図２において、前記転写前帯電器１９は、コロトロンワイヤー１９ａおよび前記像担持体１６表面側に開口して前記コロトロンワイヤー１９ａを囲む断面略コの字形シールドケース１９ｂおよびグリッド１９ｃを有するスコロトロンにより構成されており、前記像担持体１６の表面のトナーの帯電量を調整する。前記転写前帯電器１９は、ＡＢＳ（アクリルニトリル−ブタジエン−スチレン共重合）樹脂で一体成型されたホルダ２０により保持されている。
【００３５】
前記転写前帯電器１９を保持するホルダ２０の内側には、ダクト部２０ａが形成されている。前記ホルダ２０の外側面の一部（後述の用紙担持ドラム２１に面する部分）２０ｂは用紙ガイド２０ｂとして使用されている。
前記転写前帯電器１９の前記像担持体１６の表面に沿って下流側の前記転写領域Ｑ３には、表面に用紙Ｓを支持するフィルムを有する用紙担持ドラム（無端状用紙担持体）２１が配置されている。また転写領域Ｑ３には、用紙担持ドラム２１の内側に転写器２２が配置されている。また、回転する像担持体１６表面に沿って、前記転写領域Ｑ３の下流側には除電器２３およびクリーナユニット２４が配置されている。
【００３６】
前記用紙担持ドラム２１の回転方向に沿って前記転写器２２の下流側には、内側除電器２６、前記内側除電器２６の用紙担持ドラム２１を挟んで対向位置に配置された外側除電器２７、ブラシクリーナ２８が順次配置されている。また、ブラシクリーナの上流側には用紙担持ドラム２１の回転位置を検出するドラム位置センサＳＮ１が配置されている。
給紙トレイＴＲ１からピックアップロール３０により取り出された用紙Ｓは、フィードロール３１により用紙搬送ガイド３２に沿って搬送され、レジロール３３で一旦停止してから所定のタイミングで、カール付与ロール３４およびガイド部材３５を通って前記転写領域Ｑ３に搬送される。なお、カール付与ロール３４は、用紙Ｓが厚紙の場合に前記用紙担持ドラム２１に吸着し易いように用紙Ｓにカールを付与する部材である。
【００３７】
また、前記用紙搬送ガイドには用紙センサＳＮ２が配置されており、前記レジロール３３の上流側にはレジセンサＳＮ３が配置されている。これらのセンサの検出信号はコントローラＣ（図１３参照）に入力されている。
図２において、前記ガイド部材３５は剛性ガイド部分３５ａおよびシート状ガイド部分３５ｂを有しており、前記シート状ガイド部分３５ｂは、前記用紙ガイド２０ｂの下流側端部と面接触して圧接する。前記ガイド部材３５は、前記転写領域Ｑ３の用紙Ｓの移動方向上流側に隣接して配置されており、前記用紙Ｓは前記用紙ガイド２０ｂおよびシート状ガイド部分３５ｂとの間を通過して、前記転写領域Ｑ３に進入する。
なお、前記符号２０ｂ，３０〜３５で示した構成要素から用紙搬送装置Ｈが構成されている。
【００３８】
前記レジロール３３の上流側には用紙搬送ガイド３２を通過する用紙の表面抵抗値を検出するための検知ロール装置３６，３７が用紙搬送方向に所定距離離れて配置されている。
検知ロール装置３６，３７はそれぞれ導電性の一対の検知ロール３６ａ，３６ｂ、３７ａ，３７ｂを有し、上流側に配置された前記検知ロール３６ａ，３６ｂの一方のロール３６ａには電極ロール３８が当接しており、前記電極ロール３８には用紙抵抗値検出用直流電源３９から用紙抵抗値検出用電圧が印加されている。前記下流側の一対の検知ロール３７ａ，３７ｂのうちの一方のロール３７ｂは電流計により構成された用紙表面抵抗値センサ４０を介してアースされている。前記検知ロール３６および３７間を用紙が通過しているときに検出される用紙表面抵抗値センサ４０の検出信号（電流値）により用紙表面抵抗値を検出することができる。
用紙表面抵抗値センサ４０の検知信号は前記コントローラＣに入力されている。
【００３９】
前記転写領域Ｑ３において、前記用紙Ｓは前記転写器２２により、最初前記用紙担持ドラム２１の表面に吸着されると同時に第１色目のトナー像が転写される。したがって、本実施例１の前記転写領域Ｑ３は用紙担持体ドラム２１表面（用紙吸着面）に用紙Ｓが吸着される用紙吸着位置である。そして、前記用紙吸着は前記転写器２２により静電吸着されるので、本実施例１の転写器２２は静電吸着器に兼用されている。
吸着前記用紙担持ドラム２１の表面に吸着された用紙Ｓは４回転し、前記転写器２２を通る毎に第２色目以後のトナー像が転写されて、Ｙ（イエロー）、マゼンタ（Ｍ）、Ｃ（シアン）、およびＫ（黒）のフルカラー画像が形成される。
４色のフルカラー画像が形成された用紙Ｓは剥離除電器４２、用紙剥離爪４３および前記用紙担持ドラム２１の内側に配置されて前記用紙Ｓの先端部をはね上げる用紙はね上げ爪４４で前記用紙担持ドラム２１から剥離されて、定着装置Ｔの定着位置Ｑ４に搬送される。また、厚紙の用紙Ｓが用紙担持ドラム２１から定着装置Ｔへ移動する際、ソレノイドにより伸縮する厚紙搬送補助装置４６先端のローラにより、移動する厚紙の用紙Ｓを押圧して跳ね上がるのを防止しながら定着装置Ｔへ搬送するように構成されている。
【００４０】
定着位置Ｑ４に配置された前記定着装置Ｔは、用紙搬入部４７を通って定着位置Ｑ４を通過する用紙Ｓ上の未定着トナー像を加熱定着する。用紙搬送方向で前記定着位置Ｑ４の下流側には用紙排出ローラ４８が設けられている。そして、トナー像が定着された用紙Ｓは用紙排出トレイＴＲ０に排出される。
【００４１】
本実施例１のようカラー画像形成装置Ｆにおいて、中間調カラー画像をＹ（イエロー）、Ｍ（マゼンタ）、Ｃ（シアン）、Ｋ（黒）の４色で表示する場合、普通４種の異なる網点により表示を行い、それらの網点の階調数およびスクリーン角度は、画像形成装置の解像能力に応じて決定される。
前記網点による表示は前記ＩＰＳにより行われる。
図３は本発明の画像形成装置の図１に示す実施例１における前記ＩＰＳの詳細説明図である。図４はＩＰＳに記憶された基準ＬＵＴの濃度補正データを補正して補正ＬＵＴを作成するためのＬＵＴ補正データを示す図である。
ＩＰＳは、マイコンにより構成されており、ＣＰＵ（中央処理装置）、ＲＯＭ（リードオンリーメモリ）、ＲＡＭ（ランダムアクセスメモリ）、Ｉ／Ｆ（入出力インターフェース）、および不揮発性メモリ等により構成されている。
そして、前記ＩＰＳは、前記ＲＯＭに記憶されたプログラムにより、前記読取画像データ出力手段１１および書込画像データ出力手段１２の機能を実現しており、前記書込画像データ出力手段１２は、シェーディング補正手段１２１、データ変換処理手段１２２、濃度補正手段１２３の機能を有している。
【００４２】
図３に示した前記書込画像データ出力手段１２は、前記読取画像データ出力手段１１から画像データＲ（Ｒｅｄ、赤），Ｇ（Ｇｒｅｅｎ、緑），Ｂ（Ｂｌｕｅ、青）の濃度データ）が入力される。この画像データＲ，Ｇ，Ｂは、前記読取画像データ出力手段１１において、ＣＣＤ等のセンサによって得られたアナログ出力信号をＡＤ変換（デジタル−アナログ変換）して得られた値であり、例えば、「００００００００」（＝０）から「１１１１１１１１」（＝２５５）までの８ビットのデジタルデータである。
【００４３】
この画像データＲ，Ｇ，Ｂは、ＩＰＳの前記シェーディング補正手段１２１によりシェーディング補正される。
前記シェーディング補正された画像データは、ＩＰＳのデータ変換処理手段１２２により、Ｋ（黒）、Ｙ（イエロー）、Ｍ（マゼンタ）、または、Ｃ（シアン）の濃度データに変換され、必要に応じて拡大、縮小変換が行われる。この変換されたＫ（黒）、Ｙ（イエロー）、Ｍ（マゼンタ）、または、Ｃ（シアン）の濃度データＮｉｎは画像メモリ１３に一時的に記憶される。
前記画像メモリ１３に記憶されたＫ（黒）、Ｙ（イエロー）、Ｍ（マゼンタ）、または、Ｃ（シアン）の濃度データＮｉｎは、濃度補正手段１２３のＬＵＴ１２４（濃度補正テーブル（ルックアップテーブル）１２４）に入力される。
【００４４】
図３において濃度補正手段１２３は、前記転写前帯電器１９のオン、オフに応じて前記ＬＵＴ１２４のデータを書き換えるＬＵＴ設定変更手段１２５を有している。前記ＬＵＴ設定変更手段１２５は基準ＬＵＴ記憶手段１２５ａおよびＬＵＴ補正データ記憶手段１２５ｂを有している。前記基準ＬＵＴ記憶手段１２５ａは、前記転写前帯電器１９がオフの場合に使用する前記各色Ｋ（黒）、Ｙ（イエロー）、Ｍ（マゼンタ）、または、Ｃ（シアン）のＬＵＴ１２４を設定するためのテーブルを記憶している。
また、前記ＬＵＴ補正データ記憶手段１２５ｂは、前記転写前帯電器１９がオンの際に使用されるＬＵＴ（ルックアップテーブル）１２４を作成するために、図４に示すＬＵＴ補正データを記憶している。
【００４５】
また、図３に示した濃度補正手段１２３は、タイミング制御手段１２６、Ｘアドレス発生器１２７Ｘ、Ｙアドレス発生器１２７Ｙ、閾値テーブル１２８、および比較器１２９を有する、閾値型の網点ジェネレータを有している。
前記ＬＵＴ１２４には、前記ＩＰＳの前記画像メモリ１３に記憶されたＫ（黒）、Ｙ（イエロー）、Ｍ（マゼンタ）、または、Ｃ（シアン）の濃度データＮｉｎが入力されている。前記濃度データＮｉｎは、ＬＵＴ１２４で濃度補正されてＮｍに変換され、ラインバッファ１３０に記憶される。ラインバッファ１３０はシフトレジスタ、メモリ等により構成されており、１ライン分の画像データ（濃度データ）Ｎｍを記憶する容量を有している。
【００４６】
次に濃度補正手段１２３の機能について詳細に説明する。中間調画像を再現する場合、実際はスクリーン角度０度の網点は１画素は１６×１６＝２５６の微画素から構成され、第０〜第２５６階調の合計階調数２５７程度の階調数で画像形成が行われることが多いが、説明を簡単にするために図５の階調表示を行う場合について説明する。
図５は中間調画像を再現する場合のスクリーン角度０度、階調数１７の網点の説明図であり、１画素は４×４＝１６の微画素から構成されている。そして、図５のＰｉ（ｉ＝０〜１６）は第ｉ階調の網点を示している。第０階調の網点Ｐ０では総ての微画素が無着色であり、第１階調の網点Ｐ１では１個の微画素が着色されている。そして、第０階調の網点Ｐ０から第１６階調の網点Ｐ１６までの階調領域において、隣接する各階調間の着色微画素数の差は１個に設定されている。このように、この実施例では１画素を４×４＝１６個の微画素に分割して、それらの１６個の微画素を選択的に着色することにより、第０〜第１６階調の合計１７階調の表示を行っている。
このような、階調表示を行う場合の網点、スクリーン角度および網点出力回路等は、例えば、特開平３−７０２６９号公報に記載されているように従来公知である。
【００４７】
前記ＩＰＳは、前記レーザ光Ｌ（図１参照）が各微画素を走査するタイミングと同期したＸクロック信号、レーザ光Ｌが各画素（４微画素）を走査する毎に発生するＸリセット信号、前記レーザ光Ｌが像担持体１６上を１ライン走査する毎に発生するＹクロック信号、４ライン（すなわち、副走査方向に並んだ４微画素（１画素分の微画素）を含むライン）走査する毎に発生するＹリセット信号、１ページのプリントの先頭に発生するページクリア信号、各ライン走査の先頭に発生するラインクリア信号、により動作する。
【００４８】
前記図５に示したスクリーン角度が０度、階調数１７の網点における前記各信号の発生タイミングは図６，図７に示されている。図６は主走査方向（Ｘ方向）の読出アドレス信号の発生回路の説明図である。図７は副走査方向（Ｙ方向）の読出アドレス信号の発生回路の説明図である。そして、それらの信号に応じてＸアドレス発生器１２７Ｘから２ビットのＸアドレス信号「Ｘ１  Ｘ０  」（図６参照）が出力され、また、Ｙアドレス発生器１２７Ｙから２ビットのＹアドレス信号「Ｙ１  Ｙ０  」（図７参照）が出力される。前記Ｘアドレス「Ｘ１  Ｘ０  」およびＹアドレス「Ｙ１  Ｙ０  」は、図６および図７に示すように、それぞれ「００」〜「１１」の値である。
【００４９】
図８は前記Ｘ，Ｙアドレス信号「００」〜「１１」が入力される閾値テーブル１２８（図３参照）の説明図で、図８Ａは１画素を構成する４×４のマトリックス状に配置された微画素Ｓ１１〜Ｓ４４と、前記Ｘ，Ｙアドレス信号「００」〜「１１」との関係を示す図、図８Ｂは前記各微画素Ｓ１１〜Ｓ４４に設定された閾値データをデシマルコード（十進数）で表した図である。図９は前記Ｘ，Ｙアドレス信号「００」〜「１１」が入力される閾値テーブル１２８（図３参照）の説明図で、前記図８Ｂに１０進数で示す閾値データＡのバイナリコード（実際に記憶されているデータ）である。
前記図８Ａから分かるように前記Ｘ，Ｙアドレス信号により、前記微画素Ｓ１１〜Ｓ４４のどれかの微画素が特定される。
図３において、前記閾値テーブル１２８に記憶された閾値データＡは前記Ｘ，Ｙアドレス発生器１２７Ｘ，１２８Ｙの出力するＸ，Ｙアドレス信号に応じて読み出され、比較器１２９に出力される。
【００５０】
比較器１２９には、前記閾値データＡおよび前記ラインバッファ１３０からのＫ，Ｙ，ＭまたはＣの画像データ（濃度データ）Ｎｍが入力されており、Ｎｍ≧Ａのときに「１」、Ｎｍ＜Ａのときに「０」を出力するように構成されている。
そして、前記濃度補正手段１２３の比較器１２９の出力信号１２９ａは、レーザ駆動用データ１２９ａとしてレーザ駆動回路１４に出力される。レーザ駆動回路１４は、入力された書込画像データに応じて前記ＲＯＳ（図１参照）の駆動信号を出力し、この実施例では「１」が入力されたときにレーザ光Ｌを出射し、「０」が入力されたときレーザ光Ｌを出射しないようにＲＯＳを作動させる。
本実施例１ではイメージ露光を行っているので、レーザ光Ｌが照射された微画素のみが着色されるように現像される。
【００５１】
前記レーザ光Ｌによる画像書込において、最初の画素の行（微画素にして４行分）を走査する際、図７に示すページクリア信号によりＹアドレス「００」によって指定される行の走査（微画素の第１行分の走査すなわち副走査方向の第１行の走査）が開始される。そして、図６に示すラインクリア信号により主走査方向の走査が開始される。
【００５２】
いま、たとえば前記ＬＵＴ１２４により濃度変換された画像データＮｍ（Ｋ，Ｙ，ＭまたはＣの濃度データ）が「０００１０１００」（＝２０）である１個の画素（微画素１６個から構成される画素）を走査する場合について説明すると、前記比較器１２９にはＮｍ＝「０００１０１００」＝（２０）が入力されている。
そして、Ｘ，Ｙアドレスが（「００」，「００」）の微画素Ｓ１１を走査する場合、閾値テーブル１２８から読み出されて比較器１２９に入力される閾値データＡは図８Ｂ，図９に示すように「０１１１００００」（＝１１２）である。この場合、Ｎｍ≧Ａではない（すなわち、Ａ＞Ｎｍである）ので、比較器１２９からは「０」が出力される。したがって、微画素Ｓ１１にはレーザ光が照射されない。同様に微画素Ｓ１２〜Ｓ１４を走査する場合もＮｍ≧Ａではない（すなわち、Ａ＞Ｎｍである）ので、微画素Ｓ１２〜Ｓ１４にはレーザ光が照射されない。
【００５３】
このようにして、微画素Ｓ１１〜Ｓ１４の走査が終了すると、図６のＸリセット信号により主走査方向の隣に並んだ他の画素の微画素の走査を行う。このようにして、主走査方向に並んだ全ての微画素１ライン分の走査が終了すると、図７のＹクロック信号により、Ｙアドレス信号「Ｙ１  Ｙ０」が「００」から「０１」となり、（微画素の第２行分の走査すなわち副走査方向の第２行の走査）が開始される。そして、図６に示すラインクリア信号により主走査方向の走査が開始される。
そして、再び前記画像データＮｍ（Ｋ，Ｙ，ＭまたはＣの濃度データ）＝「０００１０１００」＝（２０）が比較器１２９に入力される。Ｘ，Ｙアドレスが（「００」，「０１」）の微画素Ｓ２１を走査する場合、閾値テーブル１２８から読み出されて比較器１２９に入力される閾値データＡは図８Ｂ，図９に示すように「１０００００００」（＝１２８）である。この場合、Ｎｍ≧Ａではない（すなわち、Ａ＞Ｎｍである）から、比較器１２９からは「０」が出力される。したがって、微画素Ｓ２１にはレーザ光が照射されない。
【００５４】
同様に微画素Ｓ２２を走査する場合は、Ａ＝「０００１００００」（＝１６）であるので、Ｎｍ＝２０であるので、Ｎｍ≧Ａであるので、比較器１２９からは「１」が出力される。したがって、微画素Ｓ２２にはレーザ光が照射される。このレーザ光が照射される微画素Ｓ２２は、イメージ露光では着色される。
次に、微画素Ｓ２３を走査する場合、閾値テーブル１２８から読み出されて比較器１２９に入力される閾値データＡは図８Ｂ，図９に示すように「０１００００００」（＝６４）である。この場合、Ｎｍ≧Ａでない（すなわち、Ａ＞Ｎｍ）であるから、比較器１２９からは「０」が出力される。したがって、微画素Ｓ２３にはレーザ光が照射されない。
その他の微画素Ｓ２４〜Ｓ４４についても同様の走査が行われる。この場合、レーザ光が照射される微画素は閾値１６が設定された微画素Ｓ２２だけで、他の微画素にはレーザ光が照射されない。
【００５５】
すなわち、Ｎｍ＝「０００１０１００」＝（２０）の画素において、その画素を構成する微画素Ｓ２２にはレーザ光が照射されるが、他の微画素にはレーザ光が照射されない。したがって、レーザ光でイメージ露光を行うことにより図５の網点Ｐ１を表示する入力濃度信号Ｎｍに応じたレーザ駆動信号が前記ＲＯＳに入力されることになる。なお、この実施例では、図５に示すように、入力濃度信号Ｎｍ＝１６〜３１のときに、網点Ｐ１を表示するレーザ駆動信号が前記ＲＯＳに入力されることになる。
そして図５に示すように、入力濃度信号Ｎｍ＝０〜１５のときに網点Ｐ０を表示するレーザ駆動信号がＲＯＳに入力され、入力濃度信号Ｎｍ＝１６〜３１では網点Ｐ１を表示するレーザ駆動信号がＲＯＳに入力され、入力濃度信号Ｎｍ＝３２〜４７では網点Ｐ２を表示するレーザ駆動信号がＲＯＳに入力され、…、入力濃度信号Ｎｍ＝２４０〜２５４では網点Ｐ１５を表示するレーザ駆動信号がＲＯＳに入力され、Ｎｍ＝２５５では網点Ｐ１６を表示するレーザ駆動信号がＲＯＳに入力される。
【００５６】
以上の説明は、理解を容易にするためにスクリーン角度が０度の場合について、濃度０〜２５６の２５７レベルの階調信号に対し、画素を４×４の微画素に分割して網点Ｐ０〜Ｐ１６の１７階調で表示する場合について説明したが、実際はスクリーン角度が０度の場合は、画素を１６×１６の微画素に分割して網点Ｐ０〜Ｐ２５６の２５７階調で表示するように構成される。その場合、閾値テーブル１２８は、Ｘアドレスが０〜６３すなわち、「００００００」〜「１１１１１１」、Ｙアドレスが０〜６３すなわち、「００００００」〜「１１１１１１」で指定される６４×６４＝２５６個のアドレスにそれぞれ閾値が記憶されている。
【００５７】
図１０は本実施例１の前記ＬＵＴ１２４の入出力が同一（Ｎｉｎ＝Ｎｍ）と仮定した場合（したがって、ＬＵＴ１２４が無い場合）の、データ変換処理手段１２２（図３参照）の出力する濃度Ｎｉｎと画像形成装置Ｆで形成された画像濃度Ｎｏｕｔ（画像濃度センサの検出濃度）との濃度（０〜２５６）および階調（Ｐ０〜Ｐ１６，Ｑ０〜Ｑ１６）で示す図である。
図１１は前記図１０のＮｉｎに対するＮｏｕｔ（画像濃度センサの検出濃度）のずれであるΔＱｉを少なくするように、ＮｉｎをＮｍに変換するＬＵＴ１２４に、前記直線Ｌ０に対して前記曲線Ｌ１と対称な入出力特性Ｌ２を持たせた場合の説明図である。
先に述べたように、ＩＰＳに入力する入力濃度信号Ｎｉｎ（＝Ｎｍ）と出力されたトナー像の出力濃度Ｎｏｕｔとの関係は一般にＬ０（画像が合わせ込まれた状態の階調再現性）とはならず、Ｌ１のようになっているものが多い。
Ｎｉｎ−Ｎｏｕｔ特性が図１１のＬ１で示される場合、たとえば、入力階調濃度信号Ｎｉｎ＝１６（網点Ｐ１）の場合にＮｏｕｔは階調濃度１６（Ｑ１）を表示できず、階調濃度１６（Ｑ１）よりもΔＱ１だけ低い階調濃度の表示しかできない。仮に前記ΔＱ１＝階調濃度差（−３）とすれば、Ｎｉｎ＝１６のときにＮｏｕｔ＝Ｎｉｎ＋ΔＱ１＝１６−３＝１３となってしまう。
また、入力階調濃度Ｎｉｎ＝３２の場合に、Ｎｏｕｔは階調濃度３２を表示できず、階調濃度３２よりもΔＱ２だけ低い階調濃度の表示しかできない。仮に前記ΔＱ２＝濃度差（−７）とすれば、Ｎｉｎ＝３２のときにＮｏｕｔ＝２５（＝３２−７）となってしまう。
【００５８】
したがって、図１０において例えば、Ｎｉｎ＝１６を前記ＬＵＴ１２４によりＮｍ＝１６＋ΔＩ１とすれば、Ｎｉｎ＝１６のときにＮｏｕｔ＝１６を表示できる。また、Ｎｉｎ＝３２を前記ＬＵＴ１２４によりＮｍ＝３２＋ΔＩ２に変換すれば、Ｎｉｎ＝３２のときにＮｏｕｔ＝３２を表示できる。
図１１から分かるように、一般に
Ｎｍ＝Ｎｉｎ＋ΔＰｉ′……………………………………………………（１）
となり、例えばＮｉｎ＝３２（点ａ参照）のときには前記式（１）において、
ΔＰｉ′＝ΔＰ２′である。
したがって、Ｎｍ＝３２（＝Ｎｉｎ）＋ΔＰ２′＝３２＋ΔＩ２（点ｂ参照）となる。
この場合すなわち、Ｎｉｎ＝３２（点ａ参照）の場合、Ｎｍ＝３２＋ΔＩ２（点ｂ参照）となり、これを画像出力特性Ｌ１の画像形成装置で画像出力した場合、Ｎｏｕｔ＝３２となる。
【００５９】
したがって、ＬＵＴ１２４を使用しない画像形成装置の画像出力特性がＬ１の場合、入出力特性Ｌ２のＬＵＴ１２４を使用することにより画像形成装置全体としての出力特性はＬ０とすることができる。しかしながら、これは理想的な場合の話であり、実際は、転写前帯電器１９を使用しないときにＬＵＴ１２４を使用した場合のＮｉｎ／Ｎｏｕｔ特性は図１２の実線Ｌ０′で示すようになっている。
図１２はＬＵＴ１２４にスクリーン角度０度の基準ＬＵＴを設定した場合に転写前帯電器がオンの場合およびオフの場合における本実施例の実際のＮｉｎ／Ｎｏｕｔ特性を示す図で、横軸にＮｉｎをとり、縦軸のＮｏｕｔに階調濃度ではなく濃度計で測定した濃度値をとった図である。
前記ＬＵＴ１２４を使用した状態で前記図１２の実線Ｌ０′で示すＮｉｎ／Ｎｏｕｔ特性を有する画像形成装置Ｆにおいて、転写前帯電器１９を使用した場合、転写特性が上がるため同じＬＵＴ１２４を使用するとＮｉｎ／Ｎｏｕｔ特性はＬ１′となり、画質が変化する。前記画質の変化を生じさせないためには入出力特性Ｌ２′のＬＵＴ（ルックアップテーブル）をもう１つ使用するか、または前記ＬＵＴ１２４の濃度変換データを補正する必要が生じる。
【００６０】
本実施例では前記ＬＵＴ設定変更手段１２５により、ＬＵＴ１２４の濃度変換データを補正することにより、転写前帯電器１９のオフの時（不使用時）とオンの時（使用時）で画質が変化しないように構成している。すなわち、転写前帯電器１９のオフ（不使用）時には基準ＬＵＴ記憶手段１２５ａに記憶されたＬＵＴ（ルックアップテーブル）をＬＵＴ１２４に設定し、転写前帯電器１９のオン（使用時）には前記基準ＬＵＴ記憶手段１２５ａに記憶されたＬＵＴ（ルックアップテーブル）の濃度変換データをＬＵＴ補正データ記憶手段１２５ｂ（図４参照）により補正したＬＵＴ（ルックアップテーブル）をＬＵＴ１２４に設定している。
前記ＬＵＴ補正データ記憶手段１２５ｂ（図４参照）に記憶させる補正データは実験により適宜定めることが可能である。
また、前記説明はスクリーン角度が０度の網点に関して説明したが、ＹＭＣＫの４色に対応してそれぞれ異なるスクリーン角度、異なる階調数の網点が設定されている（特開平３−７０２６９号公報参照）。本実施例では従来公知の種々の網点を使用することが可能である。
【００６１】
図１３は前記実施例１の画像形成装置Ｆの制御部分のブロック線図である。
図１３において、コントローラＣには、前記ＵＩ（ユーザインタフェース）でキー入力された信号と、ドラム位置センサＳＮ１、用紙センサＳＮ２、レジセンサＳＮ３、用紙表面抵抗値センサ４０等の検出信号とが入力されている。
コントローラＣはマイコンにより構成されており、ＩＰＳ、用紙担持ドラム用モータ駆動回路Ｄ１、用紙搬送用モータ駆動回路Ｄ２、定着装置用モータ駆動回路Ｄ３、定着用ヒータ駆動回路Ｄ４、転写器駆動回路Ｄ５等の作動信号を出力している。また、コントローラＣは、前記用紙表面抵抗値センサ４０からの入力信号に応じて転写前帯電器駆動回路Ｄ６に転写前帯電器１９の作動制御信号を出力している。
【００６２】
前記用紙担持ドラム用モータ駆動回路Ｄ１により用紙担持ドラム駆動モータＭ１が回転駆動され、それに伴って、前記用紙担持ドラム２１が回転する。
前記用紙搬送用モータ駆動回路Ｄ２により用紙搬送用駆動モータＭ２が回転駆動され、それに伴って前記ピックアップロール３０、フィードロール３１等の用紙搬送ロールが駆動される。
前記定着装置用モータ駆動回路Ｄ３により定着装置駆動モータＭ３が回転駆動され、それに伴って、前記定着装置４９の一対の定着ロールが回転する。
前記定着用ヒータ駆動回路Ｄ４によって定着装置のヒータが駆動される。
前記転写器駆動回路Ｄ５により転写器２２に転写電圧が印加される。
前記転写前帯電器駆動回路Ｄ６により転写前帯電器１９に転写前帯電用電圧が印加される。これにより像担持体１６上の転写前トナー像の帯電電荷が増加し、転写特性が向上する。
【００６３】
前記コントローラＣはＣＰＵ（中央処理装置）、ＲＯＭ（リードオンリーメモリ）、ＲＡＭ（ランダムアクセスメモリ）、入出力インターフェースＩ／Ｏ等により構成されており、用紙表面抵抗率算出手段Ｃ１、転写前帯電器制御データ記憶手段Ｃ２、転写前帯電器作動信号出力手段Ｃ３等の機能を有している。
Ｃ１：用紙表面抵抗率算出手段
用紙表面抵抗率算出手段Ｃ１は前記用紙表面抵抗値センサ４０（図１、図１３参照）およびで検出された用紙表面抵抗値から用紙の表面抵抗率を算出する機能を有している。
Ｃ２：転写前帯電器制御データ記憶手段
転写前帯電器制御データ記憶手段Ｃ２は、図１４に示す転写前帯電器制御データを記憶している。
図１４はコントローラＣの用紙表面抵抗率算出手段Ｃ１で算出された用紙の表面抵抗率の値に応じて、転写前帯電器１９のオン、オフを定めるデータを示す図である。
【００６４】
Ｃ３：転写前帯電器作動信号出力手段
転写前帯電器作動信号出力手段Ｃ３は、前記転写前帯電器制御データ記憶手段Ｃ２の記憶データに基づいて転写前帯電器１９の作動制御信号を出力する機能を有している。
図１５は、前記図１４に示す用紙表面抵抗率の値Ｘの範囲に応じて作動する、転写前帯電器１９および転写器２２のオン・オフ動作を示す図で、図１５Ａは１０１２（Ω／□）≦Ｘ＜１０１４（Ω／□）の場合のオン・オフ動作、図１５ＢはＸ≧１０１４（Ω／□）の場合のオン・オフ動作を示す図である。
【００６５】
（実施例１の作用）
図１において、デジタル複写機（画像形成装置）Ｆは、ＵＩのコピースタートキーＵＩ１（図１３参照）を押すと複写を開始する。像担持体１６が矢印方向へ回転し像担持体１６の表面が帯電器１７により一様に帯電される。同時に用紙担持ドラム２１が矢印方向へ回転する。
これと同時にプラテンガラス１下方の露光光学系２は原稿の露光走査を開始する。
前記露光走査にに並行して前記給紙トレイＴＲ１から取り出された用紙Ｓは前記検知ロール３６ａおよび３６ｂ間を通過する。前記用紙表面抵抗値センサ４０は用紙が前記検知ロール３６ａおよび３６ｂ間を通過するときに、用紙の表面電気抵抗値を検出して前記コントローラＣに入力する。
コントローラＣの前記表面抵抗率算出手段Ｃ１は前記用紙の表面電気抵抗値から用紙の表面抵抗率を算出する。
コントローラＣの転写前帯電器作動信号出力手段Ｃ３は、前記転写前帯電器制御データ記憶手段Ｃ１が記憶している前記図１４に示す転写前帯電器制御データ、および前記表面抵抗率に基づいて転写前帯電器作動信号（転写前帯電器１９をオン・オフする信号を、前記転写前帯電器駆動回路Ｄ６（図１３参照）に出力する。
【００６６】
前記露光走査によりプラテンガラス１上の原稿からの反射光はＣＣＤに読み取られる。
図３において、前記ＣＣＤで読み取られた画像データはＩＰＳの読取画像データ出力手段１１によりＲＧＢ３色の読取画像デジタルデータに変換されてシェーディング補正回路１２１でシェーディング補正され、データ変換処理手段１２２により、Ｋ（黒）、Ｙ（イエロー）、Ｍ（マゼンタ）、または、Ｃ（シアン）の濃度データに変換され、必要に応じて拡大、縮小変換が行われる。この変換されたＫ（黒）、Ｙ（イエロー）、Ｍ（マゼンタ）、または、Ｃ（シアン）の濃度データＮｉｎは画像メモリ１３に一時的に記憶される。
前記データ変換処理手段１２２からは、最初は１個の微画素毎のＫ（黒）の濃度信号が１頁分出力され、次にＹ（イエロー）、マゼンタ（Ｍ）、Ｃ（シアン）の各微画素毎の濃度信号が順次１頁分づつ出力される。
【００６７】
前記データ変換処理手段１２２から出力された濃度信号はＬＵＴ１２４で濃度変換される。
ＬＵＴ１２４は、ＬＵＴ設定変更手段１２５により、前記転写前帯電器１９が使用されない場合は、基準ＬＵＴ記憶手段１２５ａに記憶された各色のＬＵＴ（ルックアップテーブル）が設定され、前記転写前帯電器１９が使用される場合は、基準ＬＵＴ記憶手段１２５ａに記憶された各色のＬＵＴ（ルックアップテーブル）の濃度変換データを前記ＬＵＴ補正データ記憶手段１２５ｂに記憶された補正データ（図４参照）により補正したＬＵＴ（ルックテーブル）が設定される。前記データ変換処理手段１２２から出力された濃度データＮｉｎは、ＬＵＴ１２４で濃度補正されてＮｍに変換され、ラインバッファ１３０に記憶される。ラインバッファ１３０はシフトレジスタ、メモリ等により構成されており、１ライン分の画像データ（濃度データ）Ｎｍを記憶する容量を有している。
【００６８】
比較器１２９には、前記閾値テーブル１２８から読出されたＫ，Ｙ，ＭまたはＣの閾値データＡおよび前記ラインバッファ１３０からのＫ，Ｙ，ＭまたはＣの画像データ（濃度データ）Ｎｍが入力されており、Ｎｍ≧Ａのときに「１」、Ｎｍ＜Ａのときに「０」を出力するように構成されている。
そして、前記濃度補正手段１２３の比較器１２９の出力信号１２９ａは、レーザ駆動用データ１２９ａとしてレーザ駆動回路１４に出力される。レーザ駆動回路１４は、入力された書込画像データに応じて前記ＲＯＳ（図１参照）の駆動信号を出力し、この実施例では「１」が入力されたときにレーザ光Ｌを出射し、「０」が入力されたときレーザ光Ｌを出射しないようにＲＯＳを作動させる。
【００６９】
前記帯電した像担持体１６の表面は露光位置Ｑ１において前記ＲＯＳにより露光され静電潜像が形成される。この静電潜像は現像領域Ｑ２に達して、Ｙ（イエロー）、Ｍ（マゼンタ）、Ｃ（シアン）、およびＫ（黒）の現像器Ｄｙ，Ｄｍ，Ｄｃ，Ｄｋのうちの所定の現像器によりトナー像に現像される。前記トナー像のトナーは、転写領域Ｑ３に到達する前にホルダ２０に保持された転写前帯電器１９を通過する。
転写前帯電器１９は、前記コントローラＣの転写前帯電器作動信号出力手段Ｃ３により、前記転写前帯電器制御データ記憶手段Ｃ１が記憶している前記図１４に示す転写前帯電器制御データ、および前記表面抵抗率に基づいてオン・オフされている。
例えば図１５Ａに示すように、用紙の表面抵抗率Ｘが１０１２（Ω／□）≦Ｘ＜１０１４（Ω／□）の場合は、Ｋ，Ｙ，Ｍ，Ｃの各色のトナー像のうちで、最後の４番目に形成されるトナー像が転写前帯電器１９を通過する際に転写前帯電器１９がオンされる。また、図１５Ｂに示すように、用紙の表面抵抗率ＸがＸ≧１０１４（Ω／□）の場合は、Ｋ，Ｙ，Ｍ，Ｃの各色のトナー像のうちで、３番目および４番目に形成されるトナー像が転写前帯電器１９を通過する際に転写前帯電器１９がオンされる。
【００７０】
前記転写前帯電器１９を通過したＫ，Ｙ，Ｍ，Ｃの各色のトナー像は転写領域Ｑ３に移動する。最初に形成されるＫのトナー像が前記転写領域Ｑ３に移動するのにタイミングを合わせて、前記レジロール３３から搬送された用紙が前記転写領域Ｑ３に搬送される。この用紙は転写領域Ｑ３において用紙吸着用帯電器を兼用する前記転写器２２により、用紙担持ドラム２１に吸着されると同時に像担持体１６表面の前記トナー像（第１色目のＫのトナー像）が転写される。
前記用紙Ｓは用紙担持ドラム２１と共に４回転して、その間にＫ，Ｙ，Ｍ，Ｃの４色のトナー像が重ねて転写される。
４色のトナー像が重ねて転写された用紙は剥離除電器４２、用紙剥離爪４３および前記用紙担持ドラム２１の内側に配置された用紙はね上げ爪４４で前記用紙担持ドラム２１から剥離されて、定着装置Ｔの定着位置Ｑ４に搬送される。
定着位置Ｑ４に配置された前記定着装置Ｔは、用紙搬入部４７を通って定着位置Ｑ４を通過する用紙Ｓ上の未定着トナー像を加熱定着する。用紙搬送方向で前記定着位置Ｑ４の下流側には用紙排出ローラ４８が設けられている。そして、トナー像が定着された用紙Ｓは用紙排出トレイＴＲ０に排出される。
【００７１】
図１６は実施例１の画像形成装置ＦのコントローラＣが実行する転写前帯電器オン・オフ制御フローを示す図である。
この図１６に示すフローは電源オンと同時に開始され、他の画像形成処理のフローと並行してマルチタスクで実行される。
図１６のＳＴ１（ステップ１）において、コピースタートキーＵＩ１（図１３参照）がオンされたか否か判断する。ノー（Ｎ）の場合ははＳＴ１を繰り返し実行する。
ＳＴ２において用紙表面抵抗率ＸはＸ＜１０１０Ω／□か否か判断する。イエス（Ｙ）の場合はＳＴ３に移る。
Ｘ＜１０１０Ω／□の場合は図１４から分かるように、Ｋ，Ｙ，Ｍ，Ｃの４色のトナー像全てに対してＰＴＣ（転写前帯電器）１９をオンにする。したがって、ＳＴ３においてＰＴＣ（転写前帯電器）１９をオンにする。
次にＳＴ４において４色目のＣ（シアン）のトナー像がＰＴＣ（転写前帯電器）１９を通過したか否か判断する。この判断は像担持体１６へのレーザ光Ｌの書込が終了してから所定時間（像担持体１６表面が露光位置Ｑ１から転写前帯電器に移動するまでに要する時間）経過したか否かによって判断する。ノー（Ｎ）の場合はＳＴ４を繰り返し実行する。イエス（Ｙ）の場合はＳＴ８に移る。
【００７２】
ＳＴ２においてノー（Ｎ）の場合はＳＴ５に移る。
ＳＴ５において用紙表面抵抗率Ｘが１０１０（Ω／□）≦Ｘ＜１０１２（Ω／□）か否か判断する。イエス（Ｙ）の場合はＳＴ６に移る。
用紙表面抵抗率Ｘが１０１０（Ω／□）≦Ｘ＜１０１２（Ω／□）の場合は図１４から分かるように、Ｋ，Ｙ，Ｍ，Ｃの４色のトナー像全てに対してＰＴＣ（転写前帯電器）１９をオフにする。したがって、ＳＴ６においてＰＴＣ（転写前帯電器）１９をオフにする。
ＳＴ７において像担持体１６上の４色目Ｃ（シアン）のトナー像がＰＴＣ１９を通過した否か判断する。ノー（Ｎ）の場合はＳＴ７を繰り返し実行する。イエス（Ｙ）の場合はＳＴ８に移る。
ＳＴ８においてジョブ（原稿の設定枚数全てのコピー作業）が終了したか否か判断する。ノー（Ｎ）の場合は前記ＳＴ２に戻り、イエス（Ｙ）の場合はＳＴ９でＰＴＣ１９をオフにしてから前記ＳＴ１に戻る。
【００７３】
ＳＴ５においてノー（Ｎ）の場合はＳＴ１０に移る。
ＳＴ１０において１０１２（Ω／□）≦Ｘ＜１０１４（Ω／□）か否か判断する。イエス（Ｙ）の場合はＳＴ１１に移る。
１０１２（Ω／□）≦Ｘ＜１０１４（Ω／□）の場合は図１４から分かるように、４色目のＣ（シアン）のときだけＰＴＣ１９をオンとし、１色目〜３色目はＰＴＣ１９をオフとする。
したがって、ＳＴ１１においてＰＴＣ１９をオフにする。
次にＳＴ１２において像担持体１６上に形成された３色目のトナー像がＰＴＣ１９を通過したか否か判断する。ノー（Ｎ）の場合はＳＴ１２を繰り返し実行する。イエス（Ｙ）の場合はＳＴ１３に移る。
ＳＴ１３においてＰＴＣ１９をオンにする。
次にＳＴ１４において４色目のＣ（シアン）のトナー像がＰＴＣ１９を通過したか否か判断する。ノー（Ｎ）の場合はＳＴ１４を繰り返し実行する。イエス（Ｙ）の場合はＳＴ８に移る。
【００７４】
前記ＳＴ１０においてノー（Ｎ）の場合は、Ｘ≧１０１４（Ω／□）でありＳＴ１５に移る。この場合は図１４から分かるように、３色目のＭ（マゼンタ）および４色目のＣ（シアン）のトナー像に対してＰＴＣ１９をオンとし、１色目のＫ（黒）および２色目のＹ（イエロー）のトナー像に対してＰＴＣ１９をオフとする。
したがって、ＳＴ１５においてＰＴＣ１９をオフにする。
次にＳＴ１６において２色目のＹ（イエロー）のトナー像がＰＴＣ１９を通過したか否かを判断する。ノー（Ｎ）の場合はＳＴ１６を繰り返し実行する。イエス（Ｙ）の場合はＳＴ１７に移る。
ＳＴ１７においてＰＴＣ１９をオンにする。
次にＳＴ１８において４色目のＣ（シアン）のトナー像がＰＴＣ１９を通過したか否か判断する。ノー（Ｎ）の場合はＳＴ１８を繰り返し実行する。イエス（Ｙ）の場合は前記ＳＴ８に移る。
【００７５】
図１７は実施例１の画像形成装置ＦのＩＰＳ（図３参照）が実行するＬＵＴ１２４の設定フローを示す図である。図１８は前記図１７の続きのフローを示す図である。
この図１７に示すフローは電源オンと同時に開始され、他の画像形成処理のフローや前記図１６のフローと並行してマルチタスクで実行される。
図１７のＳＴ２１（ステップ２１）において、コピースタートキーＵＩ１（図１３参照）がオンされたか否か判断する。ノー（Ｎ）の場合ははＳＴ２１を繰り返し実行する。イエス（Ｙ）の場合はＳＴ２２に移る。
ＳＴ２２において用紙の表面抵抗率ＸはＸ＜１０１０（Ω／□）か否か判断する。イエス（Ｙ）の場合はＳＴ２３に移る。
この場合は前記図１４から分かるように、ＰＴＣ（転写帯電器）１９は全ての色のトナー像に対してオンとなる。この場合はＫ，Ｙ，Ｍ，Ｃの全てのトナー像に対してＰＴＣ１９がオンとなる。この場合はＫ，Ｙ，Ｍ，Ｃの全ての画像の濃度変換においてＬＵＴ１２４に補正ＬＵＴ（前記基準ＬＵＴ記憶手段１２５ａに記憶された各色の基準ＬＵＴ（ルックアップテーブル）の濃度変換データを前記ＬＵＴ補正データ記憶手段１２５ｂに記憶された補正データ（図４参照）により補正したＬＵＴ）を設定する。
したがって、ＳＴ２３において、ＬＵＴ１２４に１色目のＫの補正ＬＵＴを設定する。
【００７６】
次にＳＴ２４においてＫの濃度データの変換（ＬＵＴ１２４を用いた変換）が終了したか否か判断する。ノー（Ｎ）の場合はＳＴ２４を繰り返し実行する。イエス（Ｙ）の場合はＳＴ２５に移る。
ＳＴ２５においてＬＵＴ１２４に２色目のＹの補正ＬＵＴ（基準ルックアップデータを補正データで補正したルックアップテーブル）を設定する。
このＳＴ２５からＳＴ３０までの処理はＹ，Ｍ，Ｃのトナー像について、前記Ｋのトナー像と同様の処理を行い、Ｙ，Ｍ，Ｃの濃度データの変換に対して、全て補正ＬＵＴ（ルックアップテーブル）を設定する。
【００７７】
前記ＳＴ２２においてノー（Ｎ）の場合はＳＴ３１に移る。
ＳＴ３１において１０１０（Ω／□）≦Ｘ＜１０１２（Ω／□）か否か判断する。イエス（Ｙ）の場合はＳＴ３２に移る。
前記１０１０（Ω／□）≦Ｘ＜１０１２（Ω／□）の場合は図１４から分かるように、Ｋ，Ｙ，Ｍ，Ｃの４色のトナー像に対してＰＴＣ１９は全てオフである。したがって、全ての色の濃度変換に対してＬＵＴ１２４に基準ＬＵＴを設定する。
したがって、ＳＴ３２においてＬＵＴ１２４にＫの基準ＬＵＴ（前記図３の基準ＬＵＴ記憶手段１２５ａに記憶されているルックアップテーブル）を設定する。次にＳＴ３３においてＫの濃度データ変換終了か否か判断する。ノー（Ｎ）の場合はＳＴ３３を繰り返し実行する。イエス（Ｙ）の場合はＳＴ３４に移る。
ＳＴ３４からＳＴ３９までの処理は、前記ＳＴ３２，ＳＴ３３の処理と同様の処理をＹ，Ｍ，Ｃの濃度変換のために実行する。そして、Ｋ，Ｙ，Ｍ，Ｃの各色の画像濃度の変換に対して、前記ＬＵＴ１２４に全て濃度変換のために基準ＬＵＴ（補正を行わないルックアップテーブル）を設定する。
【００７８】
前記ＳＴ３１においてノー（Ｎ）の場合は図１８のＳＴ４０に移る。ＳＴ４０において１０１２（Ω／□）≦Ｘ＜１０１４（Ω／□）か否か判断する。イエス（Ｙ）の場合はＳＴ４１に移る。
前記１０１２（Ω／□）≦Ｘ＜１０１４（Ω／□）の場合は、図１４から分かるように、４色目のＣ（シアン）のトナー像に対してのみＰＴＣ１９をオンにし、１〜３色目のトナー像に対してはＰＴＣ１９はオフである。すなわち、１〜３色目までの濃度変換に対してはＬＵＴ１２４に基準ＬＵＴを設定し、４色目の濃度変換に対しては補正ＬＵＴを設定する。
したがって、ＳＴ４１においてＬＵＴ１２４にＫの基準ＬＵＴを設定する。次にＳＴ４２においてＫの濃度データの変換が終了したか否か判断する。ノー（Ｎ）の場合はＳＴ４２を繰り返し実行する。イエス（Ｙ）の場合はＳＴ４３に移る。
ＳＴ４３〜ＳＴ４６において前記Ｋの濃度データ変換のＳＴ４１，ＳＴ４２と同様の処理を繰り返し行い、Ｙ，Ｍの濃度変換に対してＬＵＴ１２４に基準ＬＵＴ（補正を行わないルックアップテーブル）を設定する。
【００７９】
次にＳＴ４７において４色目のＣ（シアン）の濃度変換に対してＬＵＴ１２４にＣの補正ＬＵＴ（前記図３の基準ＬＵＴ記憶手段１２５ａに記憶した基準ＬＵＴをＬＵＴ補正データ記憶手段１２５ｂの記憶データ（図４参照）で補正したルックアップテーブル）を設定する。
次にＳＴ４８においてＣ（シアン）の濃度データの変換が終了したか否か判断する。ノー（Ｎ）の場合はＳＴ４８を繰り返し実行し、イエス（Ｙ）の場合はＳＴ４９に移る。
ＳＴ４９においてジョブ（原稿の設定枚数全てのコピー作業）が終了したか否か判断する。ノー（Ｎ）の場合は前記ＳＴ２２に戻り、イエス（Ｙ）の場合は前記ＳＴ２１に戻る。
【００８０】
前記ＳＴ４０においてノー（Ｎ）の場合はＸ≧１０１４（Ω／□）であり、ＳＴ５０に移る。この場合は図１４から分かるように、１〜２色目のＫ，Ｙのトナー像に対してはＰＴＣ１９はオフであり、３〜４色目のＭ，Ｃのトナー像に対してはＰＴＣ１９はオンである。したがって、１〜２色目のＫ，Ｙの濃度変換ではＬＵＴ１２４に基準ＬＵＴを設定し、３〜４色目のＭ，Ｃの濃度変換に対しては補正ＬＵＴを設定する。
したがって、ＳＴ５０においてＬＵＴ１２４にＫの基準ＬＵＴを設定し、次のＳＴ５１においてＫの濃度変換が終了したときＳＴ５２に移る。
そしてＳＴ５２においてＬＵＴ１２４にＹの基準ＬＵＴを設定し、次のＳＴ５３においてＹの濃度変換が終了したときＳＴ５４に移る。
ＳＴ５４においてＬＵＴ１２４にＭの補正ＬＵＴを設定し、次のＳＴ５５においてＭの濃度変換が終了したときＳＴ５６に移る。
ＳＴ５６においてＬＵＴ１２４にＣの補正ＬＵＴを設定し、次のＳＴ５７においてＣの濃度変換が終了したとき前記ＳＴ４９に移る。
【００８１】
（実施例２）
次に本発明の実施例２を説明するが、この実施例２の説明において、前記実施例１の構成要素に対応する構成要素には同一の符号を付して、その詳細な説明を省略する。
図１９は本発明の画像形成装置の実施例２におけるＩＰＳの詳細説明図で前記実施例１の図３に対応する図である。図２０はＩＰＳに記憶された基準ＬＵＴの濃度補正データを補正して補正ＬＵＴを作成するためのＬＵＴ補正データを示す図で、前記実施例１の図４に対応する図である。
【００８２】
図１９においてＬＵＴ設定変更手段１２５は、Ｋ，Ｙ，Ｍ，Ｃの基準ＬＵＴを記憶する基準ＬＵＴ記憶手段１２５ａと、ＬＵＴ第１補正データ記憶手段１２５ｂおよびＬＵＴ第２補正データ記憶手段１２５ｃを有している。
前記ＬＵＴ第１補正データ記憶手段に記憶されているＬＵＴ第１補正データおよびＬＵＴ第２補正データ記憶手段に記憶されているＬＵＴ第２補正データは図２０に示されている。
【００８３】
図２１はＬＵＴ１２４にスクリーン角度０度の基準ＬＵＴを設定した場合に転写前帯電器のグリッド電圧の値に対応して変化する本実施例の実際のＮｉｎ／Ｎｏｕｔ特性を示す図で、横軸にＮｉｎをとり、縦軸のＮｏｕｔに階調濃度ではなく濃度計で測定した濃度値をとった図である。
図２１において、転写前帯電器１９を使用してグリッド１９ｃの印加電圧Ｖｇを基準値（Ｖｏ＝−５６０Ｖ）としたときにＬＵＴ１２４に基準のＬＵＴ（基準ＬＵＴ記憶手段１２５ａに記憶したルックアップテーブル）を設定した場合のＮｉｎ／Ｎｏｕｔ特性は図２１の実線Ｌ０′で示すようになっている。
前記基準ＬＵＴ１２４を使用した状態で前記図２１の実線Ｌ０′で示すＮｉｎ／Ｎｏｕｔ特性を有する画像形成装置Ｆにおいて、転写前帯電器１９のグリッド電圧ＶｇをＶｇ＝１．１Ｖｏ＝−６１６Ｖ、Ｖｇ＝１．２Ｖｏ＝−６７２Ｖにした場合、転写特性が上がるため同じＬＵＴ１２４を使用するとＮｉｎ／Ｎｏｕｔ特性はＬ１′，Ｌ３′となり、画質が変化する。前記画質の変化を生じさせないためには入出力特性Ｌ２′，Ｌ４′のＬＵＴ（ルックアップテーブル）をもう１つ使用するか、または前記ＬＵＴ１２４の濃度変換データを補正する必要が生じる。
【００８４】
本実施例では前記ＬＵＴ設定変更手段１２５により、ＬＵＴ１２４の基準ＬＵの濃度変換データを補正することにより、転写前帯電器１９のオフの時（不使用時）とオンの時（使用時）で画質が変化しないように構成している。すなわち、転写前帯電器１９のグリッド電圧ＶｇをＶｇ＝Ｖｏ＝−５６０Ｖ（Ｖｏｌｔ）とした時には基準ＬＵＴ記憶手段１２５ａに記憶された基準ＬＵＴをＬＵＴ１２４に設定し、転写前帯電器１９のグリッド電圧ＶｇをＶｇ＝１．１ＶｏまたはＶｇ＝１．２Ｖｏとした時には前記基準ＬＵＴ記憶手段１２５ａに記憶されたＬＵＴ（ルックアップテーブル）の濃度変換データをＬＵＴ第１補正データ記憶手段１２５ｂ（図１９参照）に記憶されたＬＵＴ第１補正データまたはＬＵＴ第２補正データ記憶手段１２５ｃに記憶されたＬＵＴ第２補正データにより補正したＬＵＴ（ルックアップテーブル）をＬＵＴ１２４に設定している。
前記ＬＵＴ補正データ記憶手段１２５ｂ（図１９参照）に記憶させる補正データは実験により適宜定めることが可能である。
また、前記説明はスクリーン角度が０度の網点に関して説明したが、ＹＭＣＫの４色に対応してそれぞれ異なるスクリーン角度、異なる階調数の網点が設定されている（特開平３−７０２６９号公報参照）。本実施例では従来公知の種々の網点を使用することが可能である。
【００８５】
図２２は実施例２の画像形成装置Ｆの制御部分のブロック線図で、前記実施例１の図１３に対応する図である。
図２２において、転写前帯電器駆動回路Ｄ６はグリッド電圧制御回路Ｄ６ａを有しており、グリッド電圧制御回路Ｄ６ａの出力電圧は転写前帯電器１９のグリッド１９ｃに印加されている。
図２２において、コントローラＣは、表面抵抗率算出手段Ｃ１、転写前帯電器制御データ記憶手段Ｃ２、転写前帯電器制御信号出力手段Ｃ３を備えている。
Ｃ１：表面抵抗率算出手段
表面抵抗率算出手段Ｃ１は前記実施例１と同様である。
Ｃ２：転写前帯電器制御データ記憶手段
転写前帯電器制御データ記憶手段Ｃ２は図２３に示す転写前帯電器制御データを記憶している。
Ｃ３：転写前帯電器制御信号出力手段
転写前帯電器制御信号出力手段Ｃ３は、転写前帯電器１９のオン、オフ制御信号を転写前帯電器駆動回路Ｄ６に出力すると同時に、前記表面抵抗率算出手段Ｃ１の算出した用紙の表面抵抗率に応じたグリッド制御信号をグリッド電圧制御回路Ｄ６ａに出力する機能を有している。
【００８６】
図２３はコントローラＣの前記用紙表面抵抗率算出手段Ｃ１で算出された用紙の表面抵抗率の値に応じて、転写前帯電器１９のグリッド電圧を定めるデータを示す図で前記実施例１の図１４に対応する図である。
図２３において、用紙の表面抵抗率Ｘが１０１２（Ω／□）≦Ｘ＜１０１４（Ω／□）の場合は４色目のＣ（シアン）のトナー像に対するグリッド電圧ＶｇがＶｇ＝１．１Ｖｏ（Ｖｏはグリッド電圧基準値）に設定されている。また、用紙の表面抵抗率ＸがＸ≧１０１４（Ω／□）の場合は３色目のＭ（マゼンタ）のトナー像に対するグリッド電圧ＶｇがＶｇ＝１．１Ｖｏ（Ｖｏはグリッド電圧基準値）、４色目のＣ（シアン）のトナー像に対するグリッド電圧ＶｇがＶｇ＝１．１Ｖｏ（Ｖｏはグリッド電圧基準値）に設定されている。
【００８７】
図２４は前記図２３に示す用紙表面抵抗率の値Ｘの範囲に応じて作動する、転写前帯電器１９および転写器２２のオン・オフ動作を示す図で、図２４Ａは１０１２（Ω／□）≦Ｘ＜１０１４（Ω／□）の場合の動作、図２４ＢはＸ≧１０１４（Ω／□）の場合の動作を示す図である。
図２４Ａにおいて、用紙の表面抵抗率Ｘが１０１２（Ω／□）≦Ｘ＜１０１４（Ω／□）の場合は、４色目のＣ（シアン）のトナー像に対するグリッド電圧ＶｇがＶｇ＝１．１Ｖｏ（Ｖｏはグリッド電圧基準値）となり、その他のトナー像に対する転写前帯電器１９のグリッド１９ｃのグリッド電圧Ｖｇは、Ｖｇ＝１．０Ｖｏ＝−５６０Ｖ（Ｖｏｌｔ）である。
また図２４Ｂにおいて、用紙の表面抵抗率ＸがＸ≧１０１４（Ω／□）の場合は３色目のＭ（マゼンタ）のトナー像に対するグリッド電圧ＶｇがＶｇ＝１．１Ｖｏ＝−６１６（Ｖｏｌｔ）であり、４色目のＣ（シアン）のトナー像に対するグリッド電圧ＶｇがＶｇ＝１．２Ｖｏ＝−６７２Ｖ（Ｖｏｌｔ）であり、その他のトナー像に対する転写前帯電器１９のグリッド１９ｃのグリッド電圧Ｖｇは、Ｖｇ＝１．０Ｖｏ＝−５６０Ｖ（Ｖｏｌｔ）である。
【００８８】
（実施例２の作用）
図２５は実施例２の画像形成装置ＦのコントローラＣが実行する転写前帯電器制御フローを示す図である。
この図２５に示すフローは電源オンと同時に開始され、他の画像形成処理のフローと並行してマルチタスクで実行される。また、このフローは、図２３の転写前帯電器制御データに基づいて実行される。
図２５のＳＴ６１（ステップ６１）において、コピースタートキーＵＩ１（図１３参照）がオンされたか否か判断する。ノー（Ｎ）の場合ははＳＴ１を繰り返し実行する。イエス（Ｙ）の場合はＳＴ６２に移る。
ＳＴ６２において用紙表面抵抗率Ｘ＜１０１２（Ω／□）か否か判断する。イエス（Ｙ）の場合はＳＴ６３に移る。
前記用紙表面抵抗率Ｘ＜１０１２（Ω／□）の場合は図２３から分かるように、Ｋ，Ｙ，Ｍ，Ｃの４色のトナー像に対してＶｇ＝Ｖｏとする。
【００８９】
したがって、ＳＴ６３においてＰＴＣ１９をオンすると同時にＰＴＣ１９のグリッド１９ｃにグリッド電圧Ｖｇ＝Ｖｏ（＝−５６０Ｖ、グリッド基準電圧）を印加する。
次にＳＴ６４において４色目のＣ（シアン）のトナー像がＰＴＣ１９を通過したか否か判断する。ノー（Ｎ）の場合はＳＴ６４を繰り返し実行する。イエス（Ｙ）の場合（Ｋ，Ｙ，Ｍ，Ｃ）の４色のトナー像がＰＴＣ１９を通過した場合）はＳＴ７０に移る。
ＳＴ７０においてジョブ終了か否か判断する。ノー（Ｎ）の場合は前記ＳＴ６２に戻る。イエス（Ｙ）の場合はＳＴ７１においてＰＴＣ１９をオフにして前記ＳＴ６１に戻る。
【００９０】
前記ＳＴ６２においてノー（Ｎ）の場合はＳＴ６５に移る。
ＳＴ６５において１０１２（Ω／□）≦Ｘ＜１０１４（Ω／□）か否か判断する。イエス（Ｙ）の場合はＳＴ６６に移る。
前記１０１２（Ω／□）≦Ｘ＜１０１４（Ω／□）の場合は図２３から分かるように、４色目のＣ（シアン）のトナー像に対してのみＶｇ＝１．１Ｖｏとし、他のトナー像（１〜３色目のＫ，Ｙ，Ｍのトナー像）に対してはＶｇ＝Ｖｏとする。
したがって、ＳＴ６６においてＰＴＣ１９をオンとし、Ｖｇ＝Ｖｏとする。
次にＳＴ６７において３色目のトナー像がＰＴＣ１９を通過したか否か判断する。ノー（Ｎ）の場合はＳＴ６７を繰り返し実行する。イエス（Ｙ）の場合はＳＴ６８に移る。
ＳＴ６８においてＶｇ＝１．１Ｖｏとする。
次にＳＴ６９において４色目のＣ（シアン）のトナー像がＰＴＣ１９を通過したか否か判断する。ノー（Ｎ）の場合はＳＴ６９を繰り返し実行し、イエス（Ｙ）の場合は前記ＳＴ７０に移る。
【００９１】
前記ＳＴ６５においてノー（Ｎ）の場合はＳＴ７２に移る。
図２３から分かるように、ＳＴ６５でノー（Ｎ）の場合はＸ≧１０１４（Ω／□）ということである。この場合は３色目のＭ（マゼンタ）のトナー像に対してはＶｇ＝１．１Ｖｏ、４色目のＣ（シアン）のトナー像に対してはＶｇ＝１．２Ｖｏとする。そして、他の１，２色目のＫ，Ｙのトナー像に対してはＶｇ＝Ｖｏとする。
したがって、ＳＴ７２においてＰＴＣ１９をオンとし、Ｖｇ＝Ｖｏとする。
次にＳＴ７３において２色目のＹ（イエロー）のトナー像がＰＴＣ１９を通過したか否か判断する。ノー（Ｎ）の場合はＳＴ７３を繰り返し実行する。イエス（Ｙ）の場合はＳＴ７４に移る。
【００９２】
ＳＴ７４においてＶｇ＝１．１Ｖｏとする。次にＳＴ７５において３色目のＭ（マゼンタ）のトナー像がＰＴＣ１９を通過したか否か判断する。ノー（Ｎ）の場合はＳＴ７５を繰り返し実行する。イエス（Ｙ）の場合はＳＴ７６に移る。
ＳＴ７６においてＶｇ＝１．２Ｖｏとする。
次にＳＴ７７において４色目のＣ（シアン）のトナー像がＰＴＣ１９を通過したか否か判断する。ノー（Ｎ）の場合はＳＴ７７を繰り返す。イエス（Ｙ）の場合は前記ＳＴ７０に移る。
【００９３】
図２６は実施例２の画像形成装置ＦのＩＰＳ（図１９参照）が実行するＬＵＴ１２４の設定フローを示す図である。図２７は前記図２６の続きのフローを示す図である。
この図２６に示すフローは電源オンと同時に開始され、他の画像形成処理のフローや前記図２５のフローと並行してマルチタスクで実行される。
図２６のＳＴ８１（ステップ８１）において、コピースタートキーＵＩ１（図２２参照）がオンされたか否か判断する。ノー（Ｎ）の場合ははＳＴ８１を繰り返し実行する。イエス（Ｙ）の場合はＳＴ８２に移る。
ＳＴ８２において用紙の表面抵抗率ＸはＸ＜１０１０（Ω／□）か否か判断する。イエス（Ｙ）の場合はＳＴ８３に移る。
この場合は前記図２３から分かるように、ＰＴＣ（転写帯電器）１９のＶｇは全ての色のトナー像に対してＶｇ＝Ｖｏとなる。この場合はＫ，Ｙ，Ｍ，Ｃの全ての画像の濃度変換においてＬＵＴ１２４に基準ＬＵＴ（前記基準ＬＵＴ記憶手段１２５ａに記憶されたルックアップテーブル）を設定する。
したがって、ＳＴ８３において、ＬＵＴ１２４に１色目のＫの基準ＬＵＴを設定する。
【００９４】
次にＳＴ８４においてＫの濃度データの変換（ＬＵＴ１２４を用いた変換）が終了したか否か判断する。ノー（Ｎ）の場合はＳＴ８４を繰り返し実行する。イエス（Ｙ）の場合はＳＴ８５に移る。
ＳＴ８５においてＬＵＴ１２４に２色目のＹの基準ＬＵＴを設定する。
このＳＴ８５からＳＴ９０までの処理はＹ，Ｍ，Ｃのトナー像について、前記Ｋのトナー像と同様の処理を行い、Ｙ，Ｍ，Ｃの濃度データの変換に対して、全て基準ＬＵＴ（前記図１９の基準ＬＵＴ記憶手段１２５ａに記憶されているルックアップテーブル）を設定する。
ＳＴ９０の次にはＳＴ１０９に移る。
【００９５】
前記ＳＴ８２においてノー（Ｎ）の場合はＳＴ９１に移る。
ＳＴ９１において１０１２（Ω／□）≦Ｘ＜１０１４（Ω／□）か否か判断する。イエス（Ｙ）の場合はＳＴ９２に移る。
前記１０１２（Ω／□）≦Ｘ＜１０１４（Ω／□）の場合は図２３から分かるように、Ｋ，Ｙ，Ｍの１〜３色目のトナー像に対してＶｇ＝Ｖｏ、４色目のＣ（シアン）のトナー像に対してＶｇ＝１．１Ｖｏである。したがって、Ｋ，Ｙ，Ｍの１〜３色目の画像の濃度変換に対してＬＵＴ１２４に基準ＬＵＴ（前記図１９の基準ＬＵＴ記憶手段１２５ａに記憶されているルックアップテーブル）を設定する。また、４色目のＣ（シアン）の画像の濃度変換に対して、基準ＬＵＴ濃度変換データをＬＵＴ第１補正データ記憶手段１２５ｂ（図１９参照）に記憶したＬＵＴ第１補正データ（図２０参照）で補正した第１補正ＬＵＴをＬＵＴ１２４に設定する。
【００９６】
したがってＳＴ９２においてＫの基準ＬＵＴをＬＵＴ１２４に設定する。
次にＳＴ９３においてＫの濃度データ変換終了か否か判断する。ノー（Ｎ）の場合はＳＴ９３を繰り返し実行する。イエス（Ｙ）の場合はＳＴ９４に移る。
ＳＴ９４からＳＴ９７までの処理は、前記ＳＴ９２，ＳＴ９３の処理と同様の処理をＹ，Ｍの濃度変換のために実行する。そして、Ｋ，Ｙ，Ｍの１〜３色目の画像濃度の変換に対して、前記ＬＵＴ１２４に基準ＬＵＴ（補正を行わないルックアップテーブル）を設定する。
また、ＳＴ９８，ＳＴ９９においては前記ＳＴ９２，ＳＴ９３の処理と同様の処理を第４色目のＣの濃度変換のために実行する。その場合、第４色目のＣの画像濃度の変換に対して、前記ＬＵＴ１２４に第１補正ＬＵＴ（基準ＬＵＴをＬＵＴ第１補正データ（図２０参照）で補正したルックアップテーブル）を設定する。
ＳＴ９９の次にはＳＴ１０９に移る。
【００９７】
前記ＳＴ９１においてノー（Ｎ）の場合は図１８のＳＴ１００に移る。この場合は図２３から分かるようにＸ≧１０１４（Ω／□）である。この場合図２０から分かるように、１，２色目のＫ，Ｙの画像の濃度変換では基準ＬＵＴをＬＵＴ１２４に設定し、３色目のＭの画像の濃度変換では基準ＬＵＴを第１補正データで補正した第１補正ＬＵＴをＬＵＴ１２４に設定し、４色目のＣの画像の濃度変換では基準ＬＵＴを第２補正データで補正した第２補正ＬＵＴをＬＵＴ１２４に設定する。
したがって、ＳＴ１００においてＬＵＴ１２４にＫの基準ＬＵＴを設定する。次にＳＴ１０１においてＫの濃度データの変換が終了したか否か判断する。ノー（Ｎ）の場合はＳＴ１０１を繰り返し実行する。イエス（Ｙ）の場合はＳＴ１０２に移る。
【００９８】
ＳＴ１０２，ＳＴ１０３において前記Ｋの濃度データ変換のＳＴ１００，ＳＴ１０１と同様の処理を繰り返し行い、Ｙの濃度変換に対してＬＵＴ１２４に基準ＬＵＴ（補正を行わないルックアップテーブル）を設定する。
また、ＳＴ１０４，ＳＴ１０５において前記ＳＴ１００，ＳＴ１０１と同様の処理を繰り返し行い、Ｍの濃度変換に対してＬＵＴ１２４に第１補正ＬＵＴ（基準ＬＵＴをＬＵＴ第１補正データ（図２０参照）で補正したルックアップテーブル）を設定する。
また、ＳＴ１０６，ＳＴ１０７において前記ＳＴ１００，ＳＴ１０１と同様の処理を繰り返し行い、Ｃの濃度変換に対してＬＵＴ１２４に第２補正ＬＵＴ（基準ＬＵＴをＬＵＴ第２補正データ（図１９の第２ＬＵＴ補正データ記憶手段１２５ｃに記憶された図２０に示す第２補正データで補正したルックアップテーブル）を設定する。
次にＳＴ１０８においてジョブが終了したか否か判断する。ノー（Ｎ）の場合は前記ＳＴ８２に戻り、イエス（Ｙ）の場合は前記ＳＴ８１に戻る。
【００９９】
（実施例３）
次に本発明の実施例３を説明するが、この実施例３の説明において、前記実施例１の構成要素に対応する構成要素には同一の符号を付して、その詳細な説明を省略する。
図２８は本発明の画像形成装置の実施例３の全体説明図である。
図２８において、この実施例３の画像形成装置Ｆの露光光学系２およびＩＰＳは前記実施例１と同様に構成されている。したがってこの実施例３のＩＰＳは前記図３に示す実施例１のＩＰＳと同様の構成を有している。
レーザ駆動回路１４は、Ｋ（黒）用、Ｙ（イエロー）用、Ｍ（マゼンタ）用、Ｃ（シアン）用の各レーザ駆動回路１４ｋ，１４ｙ，１４ｍ，１４ｃの４個の駆動回路を有している。また、ＲＯＳ（光走査装置、すなわち、潜像形成装置）は、Ｋ（黒）用、Ｙ（イエロー）用、Ｍ（マゼンタ）用、Ｃ（シアン）用の４個のＲＯＳｋ，ＲＯＳｙ，ＲＯＳｍ，ＲＯＳｃを有している。
タンデムに配置された４個の像担持体１６ｋ，１６ｙ，１６ｍ，１６ｃの周囲にはそれぞれ帯電器１７ｋ，１７ｙ，１７ｍ，１７ｃ、現像器Ｄｋ，Ｄｙ，Ｄｍ，Ｄｃ、転写前帯電器１９ｋ，１９ｙ，１９ｍ，１９ｃ、転写器２０ｋ，２０ｙ，２０ｍ，２０ｃ、クリーナユニット２４ｋ，２４ｙ，２４ｍ，２４ｃが配置されている。
【０１００】
前記各像担持体１６ｋ，１６ｙ，１６ｍ，１６ｃおよび各転写器２０ｋ，２０ｙ，２０ｍ，２０ｃの間の転写領域Ｑ３ｋ，Ｑ３ｙ，Ｑ３ｍ，Ｑ３ｃに用紙Ｓを搬送する用紙搬送装置Ｈは、ベルトモジュールＢを有している。ベルトモジュールＢは、前後方向（図１で紙面に垂直な方向、Ｘ軸方向）の両端部に設けた図示しないフロントプレートおよびリアプレートにより回転自在に支持されたベルト支持用の駆動ロール５１、剥離ロール５２、テンションロール５３、およびアイドラロール５４を有している。前記ロール５１〜５４によって用紙搬送ベルト５５が支持されている。前記駆動ロール５１の後端部には図示しない被駆動歯車が装着されており、回転駆動力が伝達されるように構成されている。
前記用紙搬送ベルト５５の前記像担持体１６ｋの上流側には静電吸着ロール（静電吸着器）５６が配置されている。前記静電吸着ロール５６は、給紙トレイＴＲ１から取り出されて前記用紙搬送ベルト５５との接触領域である用紙吸着位置Ｑ５に搬送された用紙Ｓを用紙搬送ベルト５５に吸着させる。
【０１０１】
この実施例３のように複数のトナー像を順次転写材に転写する多重転写式の画像形成装置Ｆにおいては、各用紙Ｓ上での各色のトナー像の主走査方向および副走査方向の書込開始位置がずれると色ずれが生じて画質が低下してしまう。そこで、前記用紙搬送ベルト５５の前記像担持体１６ｃの下流側の位置に、ベルト幅方向中央部および両端部に走査線の位置ずれ検出用の光源５７，５７，５７（図１に１個のみ図示）および前記各光源５７に対応して画像位置センサ５８，５８，５８が配置されている。
前記ベルト幅方向の中央部に配置された光源５７およびそれに対向する画像位置センサ５８は、ライン画像のリードレジ（副走査方向の位置）を検出する。また前記ベルト幅方向の両端部に配置された光源５７，５７に対向する画像位置センサ５８，５８は、主走査方向の書込開始位置を検出するセンサとして使用される。
前記画像位置センサ５８の出力する画像位置信号５８ａは、コントローラＣに入力され、前記各露光光学系駆動回路１４ｋ，１４ｙ，１４ｍ，１４ｃが出力するＲＯＳ駆動信号（レーザ駆動信号）の出力タイミングを決定するのに使用される。
【０１０２】
図２９は実施例３の画像形成装置Ｆの制御部分のブロック線図で、前記実施例１の図１３に対応する図である。
図２９において、コントローラＣにより制御される転写器駆動回路Ｄ５ｋ，Ｄ５ｙ，Ｄ５ｍ，Ｄ５ｃは、それぞれ転写器２２ｋ，２２ｙ，２２ｍ，２２ｃを駆動する。また、転写前帯電器駆動回路Ｄ６ｋ，Ｄ６ｙ，Ｄ６ｍ，Ｄ６ｃは、それぞれ転写前帯電器１９ｋ，１９ｙ，１９ｍ，１９ｃを駆動する。
前述したように、本実施例３はＫ，Ｙ，Ｍ，Ｃのトナー像を形成するためのレーザ駆動回路１４ｋ，１４ｙ，１４ｍ，１４ｃおよび像担持体１６ｋ，１６ｙ，１６ｍ，１６ｃ等がそれぞれ各トナー像別に設けられているため、各Ｋ，Ｙ，Ｍ，Ｃのトナー像の形成は並行して行うことができる。
用紙搬送ベルト５５に付着して前記各転写領域Ｑ３ｋ，Ｑ３ｙ，Ｑ３ｍ，Ｑ３ｃを通過する用紙Ｓ上には順次Ｋ，Ｙ，Ｍ，Ｃの各トナー像が転写される。
この実施例３のその他の構成は図３〜図１２および図１４、図１５に示す前記実施例１と同様である。
【０１０３】
（実施例３の作用）
この実施例３では画像形成装置ＦのコントローラＣが実行する転写前帯電器制御フローは、各転写前帯電器１９ｋ，１９ｙ，１９ｍ，１９ｃ毎に独立に制御される。
（ＰＴＣ１９ｋ（１９ｙ）の制御フロー）
図１４から分かるように、Ｋ，Ｙの転写前帯電器１９ｋ，１９ｙは全く同じ制御が行われる。すなわち、Ｋ，Ｙの転写前帯電器１９ｋ，１９ｙはＸ＜１０１０（Ω／□）の場合にオンで、Ｘ≧１０１０（Ω／□）のときにオフである。
図３０は実施例３の画像形成装置ＦのコントローラＣが実行するＫ，Ｙの転写前帯電器１９ｋ，１９ｙの制御フローを示す図である。
この図３０に示すフローは電源オンと同時に開始され、他の画像形成処理のフローと並行してマルチタスクで実行される。また、このフローは、前記図１４の転写前帯電器制御データに基づいて実行される。
図３０のＳＴ１１１（ステップ１１１）において、コピースタートキーＵＩ１（図２９参照）がオンされたか否か判断する。ノー（Ｎ）の場合ははＳＴ１１１を繰り返し実行する。イエス（Ｙ）の場合はＳＴ１１２に移る。
ＳＴ１１２において用紙表面抵抗率Ｘ＜１０１２（Ω／□）か否か判断する。イエス（Ｙ）の場合はＳＴ１１３に移る。
前記用紙表面抵抗率Ｘ＜１０１２（Ω／□）の場合は図１４から分かるように、ＰＴＣ（転写前帯電器）１９ｋ（１９ｙ）はオンとする必要がある。
【０１０４】
ＳＴ１１３においてＫ（またはＹ）トナー像の先端が現像領域Ｑ２ｋ（またはＱ２ｙ）に到達したか否か判断する。ノー（Ｎ）の場合はＳＴ１１３を繰り返し実行する。イエス（Ｙ）の場合はＳＴ１１４に移る。
ＳＴ１１４においてＰＴＣ１９ｋ（または１９ｙ）をオンにする。すなわち、トナー像が現像領域に到達した時にＰＴＣ１９ｋ（１９ｙ）をオンにする。
次にＳＴ１１５においてＫ（またはＹ）トナー像の後端がＰＴＣ１９ｋ（１９ｙ）を通過したか否か判断する。ノー（Ｎ）の場合はＳＴ１１５を繰り返し実行する。イエス（Ｙ）の場合はＳＴ１１６に移る。
ＳＴ１１６においてジョブが終了したか否か判断する。ノー（Ｎ）の場合は前記ＳＴ１１２に戻る。イエス（Ｙ）の場合はＳＴ１１７に移る。
ＳＴ１１７においてＰＴＣ１９ｋ（１９ｙ）をオフにして前記ＳＴ１１１に戻る。
前記ＳＴ１１２においてノー（Ｎ）の場合（Ｘ≧１０１０（Ω／□）の場合）は、図１４から分かるようにＰＴＣ１９ｋ（１９ｙ）はオフであるので、オンとせずに前記ＳＴ１１６に移る。
【０１０５】
（ＰＴＣ１９ｍの制御フロー）
図１４から分かるように、Ｍの転写前帯電器１９ｍは１０１０（Ω／□）≦Ｘ＜１０１４（Ω／□）の場合にオフで、Ｘ＜１０１０（Ω／□）またはＸ≧１０１４（Ω／□）のときにオンである。
図３１は実施例３の画像形成装置ＦのコントローラＣが実行するＭの転写前帯電器１９ｍの制御フローを示す図である。
この図３１に示すフローは電源オンと同時に開始され、他の画像形成処理のフローと並行してマルチタスクで実行される。また、このフローは、前記図１４の転写前帯電器制御データに基づいて実行される。
図３１のＳＴ１２１（ステップ１２１）において、コピースタートキーＵＩ１（図２９参照）がオンされたか否か判断する。ノー（Ｎ）の場合ははＳＴ１２１を繰り返し実行する。イエス（Ｙ）の場合はＳＴ１２２に移る。
ＳＴ１２２において用紙表面抵抗率１０１０（Ω／□）≦Ｘ＜１０１４（Ω／□）か否か判断する。ノー（Ｎ）の場合はＳＴ１２３に移る。
前記ＳＴ１２２でノー（Ｎ）の場合、すなわち用紙表面抵抗率Ｘが１０１０（Ω／□）≦Ｘ＜１０１４（Ω／□）の範囲以外の場合は、図１４から分かるように、ＰＴＣ（転写前帯電器）１９ｍはオンである。
【０１０６】
ＳＴ１２３においてＭトナー像の先端が現像領域Ｑ２ｍに到達したか否か判断する。ノー（Ｎ）の場合はＳＴ１２３を繰り返し実行する。イエス（Ｙ）の場合はＳＴ１２４に移る。
ＳＴ１２４においてＰＴＣ１９ｍをオンにする。すなわち、トナー像が現像領域Ｑ２ｍに到達した時にＰＴＣ１９ｍをオンにする。
次にＳＴ１２５においてＭトナー像の後端がＰＴＣ１９ｍを通過したか否か判断する。ノー（Ｎ）の場合はＳＴ１２５を繰り返し実行する。イエス（Ｙ）の場合はＳＴ１２６に移る。
ＳＴ１２６においてジョブが終了したか否か判断する。ノー（Ｎ）の場合は前記ＳＴ１２２に戻る。イエス（Ｙ）の場合はＳＴ１２７に移る。
ＳＴ１２７においてＰＴＣ１９ｍをオフにして前記ＳＴ１２１に戻る。
前記ＳＴ１２２においてイエス（Ｙ）の場合（１０１０（Ω／□）≦Ｘ＜１０１４（Ω／□）の場合）は、図１４から分かるようにＰＴＣ１９ｋ（１９ｙ）はオフであるので、オンとせずに前記ＳＴ１１６に移る。
【０１０７】
（ＰＴＣ１９ｃの制御フロー）
図１４から分かるように、Ｃ（シアン）の転写前帯電器１９ｃは１０１０（Ω／□）≦Ｘ＜１０１２（Ω／□）の場合にオフで、Ｘ＜１０１０（Ω／□）またはＸ≧１０１２（Ω／□）のときにオンである。
図３２は実施例３の画像形成装置ＦのコントローラＣが実行するＣの転写前帯電器１９ｃの制御フローを示す図である。
この図３２に示すフローは電源オンと同時に開始され、他の画像形成処理のフローと並行してマルチタスクで実行される。また、このフローは、前記図１４の転写前帯電器制御データに基づいて実行される。
図３２のＳＴ１３１（ステップ１３１）において、コピースタートキーＵＩ１（図２９参照）がオンされたか否か判断する。ノー（Ｎ）の場合ははＳＴ１３１を繰り返し実行する。イエス（Ｙ）の場合はＳＴ１３２に移る。
ＳＴ１３２において用紙表面抵抗率１０１０（Ω／□）≦Ｘ＜１０１２（Ω／□）か否か判断する。ノー（Ｎ）の場合はＳＴ１３３に移る。
前記ＳＴ１３２でノー（Ｎ）の場合、すなわち用紙表面抵抗率Ｘが１０１０（Ω／□）≦Ｘ＜１０１２（Ω／□）の範囲以外の場合は、図１４から分かるように、ＰＴＣ（転写前帯電器）１９ｍはオンである。
【０１０８】
ＳＴ１３３においてＭトナー像の先端が現像領域Ｑ２ｃに到達したか否か判断する。ノー（Ｎ）の場合はＳＴ１３３を繰り返し実行する。イエス（Ｙ）の場合はＳＴ１３４に移る。
ＳＴ１３４においてＰＴＣ１９ｃをオンにする。すなわち、トナー像が現像領域Ｑ２ｃに到達した時にＰＴＣ１９ｃをオンにする。
次にＳＴ１３５においてＣトナー像の後端がＰＴＣ１９ｃを通過したか否か判断する。ノー（Ｎ）の場合はＳＴ１３５を繰り返し実行する。イエス（Ｙ）の場合はＳＴ１３６に移る。
ＳＴ１３６においてジョブが終了したか否か判断する。ノー（Ｎ）の場合は前記ＳＴ１３２に戻る。イエス（Ｙ）の場合はＳＴ１３７に移る。
ＳＴ１３７においてＰＴＣ１９ｍをオフにして前記ＳＴ１３１に戻る。
前記ＳＴ１３２においてイエス（Ｙ）の場合（１０１０（Ω／□）≦Ｘ＜１０１２（Ω／□）の場合）は、図１４から分かるようにＰＴＣ１９ｋ（１９ｙ）はオフであるので、オンとせずに前記ＳＴ１３６に移る。
【０１０９】
（実施例４）
次に本発明の実施例４を説明するが、この実施例４の説明において、前記実施例１の構成要素に対応する構成要素には同一の符号を付して、その詳細な説明を省略する。
図３３は本発明の画像形成装置の実施例４の全体説明図である。
図３３において、この実施例３の画像形成装置Ｆはデジタル式の複写機Ｆ１と、複写機Ｆ１上面のプラテンガラス１上面に着脱自在に装着される自動原稿搬送装置Ｆ２を備えている。
前記自動原稿搬送装置Ｆ２は、複写しようとする各種サイズの原稿Ｇｉ（ｉ＝１，２，…，）が重ねて載置される原稿給紙トレイＴＲｋを有している。原稿給紙トレイＴＲｋに載置された原稿Ｇｉは前記プラテンガラス１上の複写位置に搬送され、複写済みの原稿Ｇｉは原稿排紙トレイＴＲｈに排出されるように構成されている。
前記プラテンガラス１下方に配置された露光光学系２およびＩＰＳは前記実施例１と同様に構成されている。したがってこの実施例４のＩＰＳは前記図３に示す実施例１のＩＰＳと同様の構成を有している。
【０１１０】
本実施例２では、前記実施例１の用紙担持ドラム２１の代わりに中間転写ベルト（中間転写部材）６１が使用されている。中間転写ベルト６１は駆動ロール６２、アイドラロール６３、テンションロール６４、ウオーキングロール（中間転写ベルト６１の幅方向の位置調節用ロール）６５および内側２次転写ロール６６の５本のロールで張架されており、前記像担持体１６と接触する１次転写領域Ｑ３において像担持体１６の表面速度と同速度で反時計方向へ回転する。
現像領域Ｑ２において前記像担持体１６表面に順次形成されるＫ，Ｙ，Ｍ，Ｃの各色のトナー像は１次転写前帯電器１９を通過し、前記１次転写領域Ｑ３において１次転写器２２により順次中間転写ベルト６１上に重ねて１次転写される。
【０１１１】
前記内側２次転写ロール６６と対向する側に外側２次転写ロール６７が配置されている。内側２次転写ロール６６および外側２次転写ロール６７から本実施例１の２次転写ロール（２次転写器）６８が構成されている。前記中間転写ベルト６１および外側２次転写ロール６８の接触領域に２次転写領域Ｑ６が形成されている。
本実施例４では外側２次転写ロール６７にトナーの帯電極性と逆極性の２次転写電圧が印加され、前記２次転写領域Ｑ６を通過する用紙に中間転写ベルト６１上のトナー像が転写されるように構成されている。
前記中間転写ベルト６１の移動方向に沿って前記アイドラロール６３の下流側に２次転写前帯電器６９（図３３、図３４参照）が配置されている。
【０１１２】
前記２次転写領域Ｑ６の下方には給紙トレイＴＲ１ａ〜ＴＲ１ｄが配置されており、各給紙トレイＴＲ１ａ〜ＴＲ１ｄに対応して、ピックアップロール３０ａ〜３０ｄ、フィードロール３１ａ〜３１ｄ、用紙搬送ロールＲａ〜Ｒｄが配置されている。前記符号３０ａ〜３０ｄ、３１ａ〜３１ｄ、Ｒａ〜Ｒｄ等で示された要素により本実施例４の用紙搬送装置Ｈが構成されている。
また、前記２次転写領域Ｑ６の下流側には、２次転写領域Ｑ６でトナー像が転写された用紙を定着装置Ｔの用紙搬入部４７に搬送する用紙ガイド７１および用紙搬送ベルト７２が設けられている。
【０１１３】
図３４は実施例４の画像形成装置Ｆの制御部分のブロック線図で、前記実施例１の図１３に対応する図である。
図３４において、この実施例２のコントローラＣには、前記実施例１のドラム位置センサＳＮ１の代わりにベルト位置センサＳＮ１の検出信号が入力されている。また、コントローラＣは１次転写器駆動回路Ｄ５、１次転写前帯電器駆動回路Ｄ６、２次転写器駆動回路Ｄ７、２次転写前帯電器駆動回路Ｄ８等の作動信号を出力している。
前記１次転写器駆動回路Ｄ５により１次転写器２２に１次転写電圧が印加される。また、前記２次転写器駆動回路Ｄ７により２次転写器６８に２次転写電圧が印加される。
前記１次転写前帯電器駆動回路Ｄ６により１次転写前帯電器１９に転写前帯電用電圧が印加される。これにより像担持体１６上の転写前トナー像の帯電電荷が増加し、１次転写特性が向上する。また、前記２次転写前帯電器駆動回路Ｄ６により２次転写前帯電器６９に２次転写前帯電用電圧が印加される。これにより中間転写ベルト６１上の２次転写前トナー像の帯電電荷が増加し、２次転写特性が向上する。
【０１１４】
前記コントローラＣは用紙表面抵抗率算出手段Ｃ１、１次転写前帯電器制御データ記憶手段Ｃ２、１次転写前帯電器作動信号出力手段Ｃ３、２次転写前帯電器制御データ記憶手段Ｃ４、２次転写前帯電器作動信号出力手段Ｃ５等の機能を有している。
Ｃ２、Ｃ４：１次、２次転写前帯電器制御データ記憶手段
１次、２次転写前帯電器制御データ記憶手段Ｃ２、Ｃ４は、図３５Ａ、図３５Ｂに示す１次、２次転写前帯電器制御データを記憶している。
Ｃ３、Ｃ５：１次、２次転写前帯電器作動信号出力手段
１次、２次転写前帯電器作動信号出力手段Ｃ３、Ｃ５は、前記１次、２次転写前帯電器制御データ記憶手段Ｃ２、Ｃ４の記憶データに基づいて１次、２次転写前帯電器１９、６９の作動制御信号を出力する機能を有している。
【０１１５】
図３５は転写前帯電器制御データの説明図で、図３５Ａは１次転写前帯電器制御データ記憶手段Ｃ２に記憶されたデータを示す図、図３５Ｂは２次転写前帯電器制御データ記憶手段Ｃ４に記憶されたデータを示す図である。
図３６は転写器および転写前帯電器のオン・オフ動作を示す図で、１次転写前帯電器１９および１次転写器２２のオン・オフ動作を示す図、図３６Ｂは２次転写前帯電器６９および２次転写器６８のオン・オフ動作を示す図である。
図３５、図３６から分かるように、本実施例４では、１次転写前帯電器１９は、用紙抵抗値に無関係に、転写性能が低下する第３色目、第４色目のトナー像に対してのみオンされる。また、２次転写前帯電器６９は、第１〜第４色の合成トナー像が２次転写領域Ｑ６を通過するときのみオンされる。
【０１１６】
図３７は実施例４の画像形成装置ＦのコントローラＣが実行する１次転写前帯電器オン・オフ制御フローを示す図である。
この図３７に示すフローは電源オンと同時に開始され、他の画像形成処理のフローと並行してマルチタスクで実行される。
図３７のＳＴ１４１（ステップ１４１）において、コピースタートキーＵＩ１（図３４参照）がオンされたか否か判断する。ノー（Ｎ）の場合ははＳＴ１４１を繰り返し実行する。
ＳＴ１４２において２色目トナー像が１次ＰＴＣ１９を通過したか否か判断する。ノー（Ｎ）の場合はＳＴ１４２を繰り返し実行する。イエス（Ｙ）の場合はＳＴ１４３に移る。
【０１１７】
ＳＴ１４３において１次ＰＴＣ１９をオンにする。
次にＳＴ１４４において４色目のトナー像が１次ＰＴＣ１９を通過したか否か判断する。ノー（Ｎ）の場合はＳＴ１４４を繰り返し判断する。イエス（Ｙ）の場合はＳＴ１４５に移る。
ＳＴ１４５において１次ＰＴＣ１９をオフにする。
次にＳＴ１４６においてジョブが終了したか否か判断する。ノー（Ｎ）の場合は前記ＳＴ１４２に戻る。イエス（Ｙ）の場合は前記ＳＴ１４１に移る。
【０１１８】
図３８は実施例４の画像形成装置ＦのコントローラＣが実行する２次転写前帯電器オン・オフ制御フローを示す図である。
この図３８に示すフローは電源オンと同時に開始され、他の画像形成処理のフローと並行してマルチタスクで実行される。
図３８のＳＴ１５１（ステップ１５１）において、コピースタートキーＵＩ１（図３４参照）がオンされたか否か判断する。ノー（Ｎ）の場合ははＳＴ１５１を繰り返し実行する。
ＳＴ１５２において３色目トナー像が２次ＰＴＣ６９を通過したか否か判断する。ノー（Ｎ）の場合はＳＴ１５２を繰り返し実行する。イエス（Ｙ）の場合はＳＴ１５３に移る。
【０１１９】
ＳＴ１５３において２次ＰＴＣ６９をオンにする。
次にＳＴ１５４において４色目のトナー像が２次ＰＴＣ６９を通過したか否か判断する。ノー（Ｎ）の場合はＳＴ１５４を繰り返し判断する。イエス（Ｙ）の場合はＳＴ１５５に移る。
ＳＴ１５５において２次ＰＴＣ６９をオフにする。
次にＳＴ１５６においてジョブが終了したか否か判断する。ノー（Ｎ）の場合は前記ＳＴ１５２に戻る。イエス（Ｙ）の場合は前記ＳＴ１５１に移る。
【０１２０】
図３９は実施例４の画像形成装置ＦのＩＰＳ（図３参照）が実行するＬＵＴ１２４の設定フローを示す図である。
図３９のＳＴ１６１（ステップ１６１）において、コピースタートキーＵＩ１（図１３参照）がオンされたか否か判断する。ノー（Ｎ）の場合ははＳＴ１６１を繰り返し実行する。イエス（Ｙ）の場合はＳＴ１６２に移る。
この場合は図３５Ａ、図３６Ａから分かるように、１〜２色目のＫ，Ｙのトナー像に対しては１次ＰＴＣ１９はオフであり、３〜４色目のＭ，Ｃのトナー像に対しては１次ＰＴＣ１９はオンである。したがって、１〜２色目のＫ，Ｙの濃度変換ではＬＵＴ１２４に基準ＬＵＴを設定し、３〜４色目のＭ，Ｃの濃度変換に対しては補正ＬＵＴを設定する。
【０１２１】
したがって、ＳＴ１６２においてＬＵＴ１２４にＫの基準ＬＵＴを設定し、次のＳＴ１６３においてＫの濃度変換が終了したときＳＴ１６４に移る。
そしてＳＴ１６４においてＬＵＴ１２４にＹの基準ＬＵＴを設定し、次のＳＴ１６５においてＹの濃度変換が終了したときＳＴ１６６に移る。
ＳＴ１６６においてＬＵＴ１２４にＭの補正ＬＵＴを設定し、次のＳＴ１６７においてＭの濃度変換が終了したときＳＴ１６８に移る。
ＳＴ１６８においてＬＵＴ１２４にＣの補正ＬＵＴを設定し、次のＳＴ１６９においてＣの濃度変換が終了したとき前記ＳＴ１７０に移る。
次にＳＴ１７０においてジョブが終了したか否か判断する。ノー（Ｎ）の場合は前記ＳＴ１６２に戻る。イエス（Ｙ）の場合は前記ＳＴ１６１に移る。
【０１２２】
（実施例５）
図４０は本発明の画像形成装置の実施例５の全体説明図である。
この実施例５の説明において前記図３３に示す画像形成装置と同様の要素には同一の符号を付して詳細な説明を省略する。
図４０において、画像形成装置Ｆは、ＲＯＳ１、ＲＯＳ２および像担持体１６ｋｍ，１６ｙｃを有し、ＲＯＳ１は像担持体１６ｋｍにＫ（黒）およびＭ（マゼンタ）の静電潜像を順次書き込み、ＲＯＳ２は像担持体１６ｙｃにＹ（イエロー）およびＣ（シアン）の静電潜像を書き込みむ。
前記像担持体１６ｋｍの周囲には２個の現像器Ｄｋ，Ｄｍが配置されており、前記像担持体１６ｙｃの周囲には２個の現像器Ｄｙ，Ｄｃが配置されている。前記現像器Ｄｋ，Ｄｙ，Ｄｍ，Ｄｃにはそれぞれ現像剤補給容器Ｖｋ，Ｖｙ，Ｖｍ，Ｖｃから現像剤が補給される。
【０１２３】
前記像担持体１６ｋｍの表面に沿って、帯電器１７ｋｍ、前記現像器Ｄｋ，Ｄｙ、１次転写前帯電器１９ｋｍ、１次転写器２２ｋｍ、除電器２３ｋｍ、クリーナユニット２４ｋｍが配置されている。また、前記像担持体１６ｙｃの表面に沿って、帯電器１７ｙｃ、前記現像器Ｄｍ，Ｄｃ、１次転写前帯電器１９ｙｃ、１次転写器２２ｙｃ、除電器２３ｙｃ、クリーナユニット２４ｙｃが配置されている。
中間転写ベルト（中間転写部材）７５は、駆動ロール７６、従動ロール７７、内側転写ロール７８により回転移動可能に支持されている。前記内側転写ロール７８に対して前記中間転写ベルト７５を挟んで当接および離隔可能に外側転写ロール７９が配置されている。前記内側転写ロール７８および外側転写ロール７９により２次転写器８０が構成されており、前記中間転写ベルト７５および外側転写ロール７９の接触領域により第２転写領域Ｑ６が形成されている。
また、前記像担持体１６ｋｍおよび中間転写ベルト７５の接触領域により１次転写領域Ｑ３ｋｍが形成され、前記像担持体１６ｙｃと中間転写ベルト７５の接触領域により１次転写領域Ｑ３ｙｃが形成されている。
また、前記像担持体１６ｙｃの下流側には２次転写前帯電器８１が配置されている。
【０１２４】
（実施例５の作用）
前記中間転写ベルト７５の１回転目に前記１次転写領域Ｑ３ｋｍおよびＱ３ｙｃにおいてＫおよびＹのトナー像が中間転写ベルト７５に転写される。このとき、前記１次転写前帯電器１９ｋｍ，１９ｙｃおよび２次転写前帯電器８１はオフである。
次に前記中間転写ベルト７５の２回転目に前記１次転写領域Ｑ３ｋｍおよびＱ３ｙｃにおいてＭおよびＣのトナー像が中間転写ベルト７５に転写される。このとき、前記１次転写前帯電器１９ｋｍ，１９ｙｃおよび２次転写前帯電器８１はオンである。
このように、後で重ねて転写するトナー像に対してのみ前記転写前帯電器１９ｋｍ，１９ｙｃをオンにして、転写帯電器１９ｋｍ，１９ｙｃの無駄な使用を減少させることにより、前記像担持体１６ｋｍ，１６ｙｃの変質を防止して寿命を延長し、且つ、良好な転写を行うことができる。
また、後で重ねて１次転写されたトナー像に対してのみ、前記２次転写前帯電器８１をオンにすることにより前記帯電不足を解消して、２次転写不良を防止することができる。
【０１２５】
以上、本発明の実施例を詳述したが、本発明は、前記実施例に限定されるものではなく、特許請求の範囲に記載された本発明の要旨の範囲内で、種々の小設計変更を行うことが可能である。
（Ｈ０１）帯電前転写器の出力制御は、用紙の表面抵抗率に応じて行う代わりに用紙の種類、例えば、普通紙、厚紙、ＯＨＰ等に応じて行うことが可能であり、また、用紙の体積抵抗率に応じて行うことも可能である。また、帯電前転写器の出力制御は、用紙の抵抗値または表面抵抗値の測定方法を特定して、その特定された測定方法により測定した用紙の抵抗値または表面抵抗値に応じて行うことも可能である。
【０１２６】
【発明の効果】
（Ｅ０１）転写前帯電器の使用期間を減少させてディレッションや転写前帯電器の汚れを防止することができ、且つ、転写前帯電器の交換インターバルを延ばすことができる。
【図面の簡単な説明】
【図１】図１は本発明の実施例１の画像形成装置の全体説明図である。
【図２】図２は本発明の実施例１の画像形成装置で使用する転写前帯電器の拡大図である。
【図３】図３は本発明の画像形成装置の図１に示す実施例１におけるＩＰＳの詳細説明図である。
【図４】図４はＩＰＳに記憶された基準ＬＵＴの濃度補正データを補正して補正ＬＵＴを作成するためのＬＵＴ補正データを示す図である。
【図５】図５は同実施例１の中間調画像を再現する場合の網点の説明図であり、階調数１７およびスクリーン角度０度の１画素を４×４＝１６の微画素から構成し、第ｉ階調の網点をＰｉ（ｉ＝０〜１６）で示した図である。
【図６】図６は主走査方向（Ｘ方向）の読出アドレス信号の発生回路の説明図である。
【図７】図７は副走査方向（Ｙ方向）の読出アドレス信号の発生回路の説明図である。
【図８】図８は前記Ｘ，Ｙアドレス信号「００」〜「１１」が入力される閾値テーブル１２８（図３参照）の説明図で、図８Ａは１画素を構成する４×４のマトリックス状に配置された微画素Ｓ１１〜Ｓ４４と、前記Ｘ，Ｙアドレス信号「００」〜「１１」との関係を示す図、図８Ｂは前記各微画素Ｓ１１〜Ｓ４４に設定された閾値データをデシマルコード（十進数）で表した図である。
【図９】図９は前記Ｘ，Ｙアドレス信号「００」〜「１１」が入力される閾値テーブル１２８（図３参照）の説明図で、前記図８Ｂに１０進数で示す閾値データＡのバイナリコード（実際に記憶されているデータ）である。
【図１０】図１０は本実施例１の前記ＬＵＴ１２４の入出力が同一（Ｎｉｎ＝Ｎｍ）と仮定した場合（したがって、ＬＵＴ１２４が無い場合）の、データ変換処理手段１２２（図３参照）の出力する濃度Ｎｉｎと画像形成装置Ｆで形成された画像濃度Ｎｏｕｔ（画像濃度センサの検出濃度）との関係を階調濃度で示す図である。
【図１１】図１１は前記図１０のＮｉｎに対するＮｏｕｔ（画像濃度センサの検出濃度）のずれであるΔＱｉを少なくするように、ＮｉｎをＮｍに変換するＬＵＴ１２４に、前記直線Ｌ０に対して前記曲線Ｌ１と対称な入出力特性Ｌ２を持たせた場合の説明図である。
【図１２】図１２はＬＵＴ１２４にスクリーン角度０度の基準ＬＵＴを設定した場合に転写前帯電器がオンの場合およびオフの場合における本実施例の実際のＮｉｎ／Ｎｏｕｔ特性を示す図で、横軸にＮｉｎをとり、縦軸のＮｏｕｔに階調濃度ではなく濃度計で測定した濃度値をとった図である。
【図１３】図１３は前記実施例１の画像形成装置Ｆの制御部分のブロック線図である。
【図１４】図１４はコントローラＣの用紙表面抵抗率算出手段Ｃ１で算出された用紙の表面抵抗率の値に応じて、転写前帯電器１９のオン、オフを定めるデータを示す図である。
【図１５】図１５は、前記図１４に示す用紙表面抵抗率の値Ｘの範囲に応じて作動する、転写前帯電器１９および転写器２２のオン・オフ動作を示す図で、図１５Ａは１０１２（Ω／□）≦Ｘ＜１０１４（Ω／□）の場合のオン・オフ動作、図１５ＢはＸ≧１０１４（Ω／□）の場合のオン・オフ動作を示す図である。
【図１６】図１６は実施例１の画像形成装置ＦのコントローラＣが実行する転写前帯電器オン・オフ制御フローを示す図である。
【図１７】図１７は実施例１の画像形成装置ＦのＩＰＳ（図３参照）が実行するＬＵＴ１２４の設定フローを示す図である。
【図１８】図１８は前記図１７の続きのフローを示す図である。
【図１９】図１９は本発明の画像形成装置の実施例２におけるＩＰＳの詳細説明図で前記実施例１の図３に対応する図である。
【図２０】図２０はＩＰＳに記憶された基準ＬＵＴの濃度補正データを補正して補正ＬＵＴを作成するためのＬＵＴ補正データを示す図で、前記実施例１の図４に対応する図である。
【図２１】図２１はＬＵＴ１２４にスクリーン角度０度の基準ＬＵＴを設定した場合に転写前帯電器のグリッド電圧の値に対応して変化する本実施例の実際のＮｉｎ／Ｎｏｕｔ特性を示す図で、横軸にＮｉｎをとり、縦軸のＮｏｕｔに階調濃度ではなく濃度計で測定した濃度値をとった図である。
【図２２】図２２は実施例２の画像形成装置Ｆの制御部分のブロック線図で、前記実施例１の図１３に対応する図である。
【図２３】図２３はコントローラＣの前記用紙表面抵抗率算出手段Ｃ１で算出された用紙の表面抵抗率の値に応じて、転写前帯電器１９のグリッド電圧を定めるデータを示す図で前記実施例１の図１４に対応する図である。
【図２４】図２４は前記図２３に示す用紙表面抵抗率の値Ｘの範囲に応じて作動する、転写前帯電器１９および転写器２２のオン・オフ動作を示す図で、図２４Ａは１０１２（Ω／□）≦Ｘ＜１０１４（Ω／□）の場合の動作、図２４ＢはＸ≧１０１４（Ω／□）の場合の動作を示す図である。
【図２５】図２５は実施例２の画像形成装置ＦのコントローラＣが実行する転写前帯電器制御フローを示す図である。
【図２６】図２６は実施例２の画像形成装置ＦのＩＰＳ（図１９参照）が実行するＬＵＴ１２４の設定フローを示す図である。
【図２７】図２７は前記図２６の続きのフローを示す図である。
【図２８】図２８は本発明の画像形成装置の実施例３の全体説明図である。
【図２９】図２９は実施例３の画像形成装置Ｆの制御部分のブロック線図で、前記実施例１の図１３に対応する図である。
【図３０】図３０は実施例３の画像形成装置ＦのコントローラＣが実行するＫ，Ｙの転写前帯電器１９ｋ，１９ｙの制御フローを示す図である。
【図３１】図３１は実施例３の画像形成装置ＦのコントローラＣが実行するＭの転写前帯電器１９ｍの制御フローを示す図である。
【図３２】図３２は実施例３の画像形成装置ＦのコントローラＣが実行するＣの転写前帯電器１９ｃの制御フローを示す図である。
【図３３】図３３は本発明の画像形成装置の実施例４の全体説明図である。
【図３４】図３４は実施例４の画像形成装置Ｆの制御部分のブロック線図で、前記実施例１の図１３に対応する図である。
【図３５】図３５は転写前帯電器制御データの説明図で、図３５Ａは１次転写前帯電器制御データ記憶手段Ｃ２に記憶されたデータを示す図、図３５Ｂは２次転写前帯電器制御データ記憶手段Ｃ４に記憶されたデータを示す図である。
【図３６】図３６は転写器および転写前帯電器のオン・オフ動作を示す図で、１次転写前帯電器１９および１次転写器２２のオン・オフ動作を示す図、図３６Ｂは２次転写前帯電器６９および２次転写器６８のオン・オフ動作を示す図である。
【図３７】図３７は実施例４の画像形成装置ＦのコントローラＣが実行する１次転写前帯電器オン・オフ制御フローを示す図である。
【図３８】図３８は実施例４の画像形成装置ＦのコントローラＣが実行する２次転写前帯電器オン・オフ制御フローを示す図である。
【図３９】図３９は実施例４の画像形成装置ＦのＩＰＳ（図３参照）が実行するＬＵＴ１２４の設定フローを示す図である。
【図４０】図４０は本発明の画像形成装置の実施例５の全体説明図である。
【符号の説明】
Ｃ２…転写前帯電器制御データ記憶手段、Ｃ３…転写前帯電器作動信号出力手段、Ｃ５…２次転写前帯電器作動信号出力手段、Ｄｋ，Ｄｙ，Ｄｍ，Ｄｃ…現像器、Ｈ…用紙搬送装置、
Ｎｉｎ…複数の微画素により構成される１画素の入力濃度データ、
Ｎｍ…出力濃度データ、
Ｑ３…転写領域、Ｑ３ｋ，Ｑ３ｙ，Ｑ３ｍ，Ｑ３ｃ…転写領域（１次転写領域）、Ｑ６…２次転写領域、Ｓ…転写部材、Ｑ３ｋｍ，Ｑ３ｙｃ…１次転写領域、
１２…書込画像データ出力手段、
１６…像担持体、１６ｋ，１６ｙ，１６ｍ，１６ｃ…像担持体、１６ｋｍ，１６ｙｃ…像担持体、１９…転写前帯電器、１９ｋ，１９ｙ，１９ｍ，１９ｃ…転写前帯電器、２２…転写器、２２ｋ，２２ｙ，２２ｍ，２２ｃ…転写器、２２ｋｍ，２２ｙｃ…１次転写器、４０…用紙表面抵抗値センサ、６１…転写部材（中間転写部材、中間転写ベルト）、６８…２次転写器、６９…２次転写前帯電器、７５…中間転写部材、８０…２次転写器、８１…２次転写前帯電器、
ＬＵＴ１２４…ルックアップテーブル
１２５…ルックアップテーブル設定変更手段、
１２９ａ…書込画像データ、
【図１】
0003632388.tif 000002
【図２】
0003632388.tif 000003
【図３】
0003632388.tif 000004
【図４】
0003632388.tif 000005
【図５】
0003632388.tif 000006
【図６】
0003632388.tif 000007
【図７】
0003632388.tif 000008
【図８】
0003632388.tif 000009
【図９】
0003632388.tif 000010
【図１０】
0003632388.tif 000011
【図１１】
0003632388.tif 000012
【図１２】
0003632388.tif 000013
【図１３】
0003632388.tif 000014
【図１４】
0003632388.tif 000015
【図１５】
0003632388.tif 000016
【図１６】
0003632388.tif 000017
【図１７】
0003632388.tif 000018
【図１８】
0003632388.tif 000019
【図１９】
0003632388.tif 000020
【図２０】
0003632388.tif 000021
【図２１】
0003632388.tif 000022
【図２２】
0003632388.tif 000023
【図２３】
0003632388.tif 000024
【図２４】
0003632388.tif 000025
【図２５】
0003632388.tif 000026
【図２６】
0003632388.tif 000027
【図２７】
0003632388.tif 000028
【図２８】
0003632388.tif 000029
【図２９】
0003632388.tif 000030
【図３０】
0003632388.tif 000031
【図３１】
0003632388.tif 000032
【図３２】
0003632388.tif 000033
【図３３】
0003632388.tif 000034
【図３４】
0003632388.tif 000035
【図３５】
0003632388.tif 000036
【図３６】
0003632388.tif 000037
【図３７】
0003632388.tif 000038
【図３８】
0003632388.tif 000039
【図３９】
0003632388.tif 000040
【図４０】
0003632388.tif 000041